(57)【要約】【課題】表示パネルに接続されるインターフェース基板（ＦＰＣ）の引廻し配線パターンの数を減らしてインターフェース基板の大きさを小さくし、より小型の表示装置を得る。【解決手段】複数色成分画像を切り換えて順次表示する液晶表示パネル（２２）と、液晶表示パネルを駆動するためのパネル駆動信号及びタイミング信号を出力するパネル駆動部（４）と、複数色に発光する光源部（１２）と、タイミング信号に同期して光源部を駆動するための駆動信号を出力する光源駆動部（１３）を有することを特徴とする表示装置（２０）。【選択図】図１
2007041581.tif 000002
【特許請求の範囲】
【請求項１】
フィールド・シーケンシャル方式の表示装置において、
赤色、緑色及び青色成分画像を切り換えて順次表示する液晶表示パネルと、
前記液晶表示パネルを駆動するためのパネル駆動信号及びタイミング信号を出力するパネル駆動部と、
赤色ＬＥＤ、緑色ＬＥＤ及び青色ＬＥＤを有する光源部と、
前記赤色ＬＥＤ、前記緑色ＬＥＤ及び前記青色ＬＥＤの輝度を設定するための設定部と、
前記設定部による設定に基づいて、前記赤色ＬＥＤ、前記緑色ＬＥＤ及び前記青色ＬＥＤの輝度を調整するための調整用データを出力する調整部と、
前記タイミング信号に同期して且つ前記調整用データに基づいて、前記赤色ＬＥＤ、前記緑色ＬＥＤ及び前記青色ＬＥＤを切り換えて順次発光させる光源駆動部と、
を有することを特徴とする表示装置。
【請求項２】
前記設定部は複数の導通パターン回路を有し、前記設定部における設定は、前記複数の導通パターン回路の少なくとも１つの導通パターン回路の非導通化によって行う、請求項１に記載の表示装置。
【請求項３】
前記設定部は複数の非導通パターン回路を有し、前記設定部における設定は、前記複数の非導通パターン回路の少なくとも１つの非導通パターン回路の導通化によって行う、請求項１に記載の表示装置。
【請求項４】
前記設定部はメモリを有し、前記設定部における設定は、前記メモリへの書き込みによって行う、請求項１に記載の表示装置。
【請求項５】
前記パネル駆動部に表示データを送信するための外部回路接続基板を更に有する、請求項１に記載の表示装置。
【請求項６】
前記外部回路接続基板上に、前記光源部、前記設定部及び前記光源駆動部が配置されている、請求項５に記載の表示装置。
【請求項７】
前記外部回路接続基板は第１のＦＰＣ基板及び第２のＦＰＣ基板を有し、前記光源部及び前記光源駆動部は前記第１のＦＰＣ基板上に配置され、前記設定部は前記第２のＦＰＣ基板上に配置される、請求項５に記載の表示装置。
【請求項８】
前記第１のＦＰＣ基板及び前記第２のＦＰＣ基板は一体形成されている、請求項７に記載の表示装置。
【請求項９】
前記パネル駆動部及び前記調整部が、同一のＩＣ内に設けられている、請求項１に記載の表示装置。
【請求項１０】
前記パネル駆動部、前記光源駆動部及び前記調整部が、同一のＩＣ内に設けられている、請求項１に記載の表示装置。
【請求項１１】
前記パネル駆動部、前記調整部及び前記設定部が、同一のＩＣ内に設けられている、請求項１に記載の表示装置。
【請求項１２】
前記パネル駆動部、前記光源駆動部、前記調整部及び前記設定部が、同一のＩＣ内に設けられている、請求項１に記載の表示装置。
【請求項１３】
表示装置において、
複数色成分画像を切り換えて順次表示する表示パネルと、
前記表示パネルを駆動するためのパネル駆動信号及びタイミング信号を出力するパネル駆動部と、
複数色に発光する光源部と、
前記タイミング信号に同期して前記光源部を駆動するための駆動信号を出力する光源駆動部と、
を有することを特徴とする表示装置。
【請求項１４】
表示装置において、
表示パネルを駆動するためのパネル駆動信号を出力するパネル駆動部と、
複数色に発光する光源部と、
前記光源部の複数色のそれぞれの輝度を調整するための調整用データを出力する調整部とを有し、
前記パネル駆動部及び前記調整部が、同一のＩＣ内に設けられていることを特徴とする表示装置。
【請求項１５】
前記調整用データに基づいて、前記光源部を駆動するための駆動信号を出力する光源駆動部をさらに有し、
前記パネル駆動部、前記光源駆動部及び前記調整部が、同一のＩＣ内に設けられている、請求項１４に記載の表示装置。
【請求項１６】
前記光源部の複数色のそれぞれの輝度を設定するための設定部をさらに有し、
前記調整部は、前記設定部の設定に基づいて、前記光源部の複数色のそれぞれの輝度を調整するための調整用データを出力し、
前記パネル駆動部、前記設定部及び前記調整部が、同一のＩＣ内に設けられている、請求項１４に記載の表示装置。
【請求項１７】
前記光源部の複数色のそれぞれの輝度を設定するための設定部と、
前記調整用データに基づいて、前記光源部を駆動するための駆動信号を出力する光源駆動部とをさらに有し、
前記調整部は、前記設定部の設定に基づいて、前記光源部の複数色のそれぞれの輝度を調整するための調整用データを出力し、
前記パネル駆動部、前記光源駆動部、前記設定部及び前記調整部が、同一のＩＣ内に設けられている、請求項１４に記載の表示装置。
【請求項１８】
表示装置において、
表示パネルを駆動するためのパネル駆動信号及びタイミング信号を出力するパネル駆動部と、
複数色に発光する光源部と、
前記光源部の複数色のそれぞれの輝度を調整するための調整用データを出力する調整部と、
前記タイミング信号に同期して前記光源部を駆動するための駆動信号を出力する光源駆動部とを有し、
前記パネル駆動部及び前記調整部が、同一のＩＣ内に設けられていることを特徴とする表示装置。
【発明の詳細な説明】
【技術分野】
【０００１】
本発明は、赤（Ｒ）色、緑（Ｇ）色、青（Ｂ）色の光源の駆動を調整し、所定の白色表示を得る表示装置に関する。特に、本発明は、複数の異なる波長の光を発光する発光素子を順次切り換えて発光させ、画像のカラー表示を行うフィールド・シーケンシャル方式において表示画像の最適化を図る表示装置に関する。
【背景技術】
【０００２】
今日、電気光学変換部材を用いた表示装置に、照明装置の一種であるバックライトとしてＲ色、Ｇ色、Ｂ色の光の波長をそれぞれ持つＬＥＤなる発光素子を用いることが知られている。このような表示装置では、これらの発光素子を一定周期で順次切り換えて発光させて、目の視覚残像を利用してカラー表示を行う。このような、所謂フィールド・シーケンシャル方式の表示装置では、カラーフィルタを用いないので透過率が高く、カラー表示画像が非常に明るいと云う特徴を有する。しかしながら、ＬＥＤの発光効率は発光色によって著しく異なり、又Ｖｔｈ（スレッショルド電圧）も異なるために、同じ点灯電圧を供給しても、発光色度が個々のＬＥＤによって異なるなどの問題を有する。したがって、このようなフィールド・シーケンシャル方式の表示装置では、カラー表示画像の発色度に均一性が得られないと云う問題を有している。
【０００３】
そこで、コントラストの不均一性を解決する技術が知られている（例えば、特許文献１参照）。特許文献１に開示された技術では、Ｒ色、Ｇ色、Ｂ色のそれぞれの発光時間を調整して白色バランスを調整し、コントラストの最適化を図っている。
【０００４】
図２０は、特許文献１に示された従来のカラー表示装置の概略ブロック図である。
【０００５】
図２０において、カラー表示装置３００は、光源部３０１を有している。光源部３０１には、Ｒ色、Ｇ色、Ｂ色なる発光色を持つＬＥＤ（発光ダイオード）３０１ａ、３０１ｂ及び３０１ｃが配置されている。このＬＥＤ３０１ａ、３０１ｂ及び３０１ｃは光源駆動回路３２１からの光源駆動電流３０６ａ、３０６ｂ及び３０６ｃの入力により駆動する。液晶パネル３０４は、液晶駆動回路３２２からの表示駆動信号３０７によって駆動する。光源部３０１のＲ色ＬＥＤ３０１ａ、Ｇ色ＬＥＤ３０１ｂ及びＢ色ＬＥＤ３０１ｃの点灯出力光（矢印Ａ）により、液晶パネル３０４によってカラー画像が表示される。
【０００６】
制御部３２３は、その内部に同期制御回路３２５と表示メモリ回路３２６を有している。時間メモリ回路３２４は、フラッシュメモリ等の不揮発性メモリによって形成され、時間記憶データ３２４ａを制御部３２３に出力する。インターフェース回路３２７は、外部との電気的接続手段であり、外部情報を入力して時間メモリ回路３２４に出力する。ここで、時間メモリ回路３２４はインターフェース回路３２７からの外部情報を、ＬＥＤ３０１ａ、ＬＥＤ３０１ｂ及びＬＥＤ３０１ｃの発光時間情報として記憶し、記憶した発光時間情報を時間記憶データ３２４ａとして制御回路３２３の同期制御回路３２５に出力する。
【０００７】
制御回路３２３の同期制御回路３２５は、時間記憶データ３２４ａを受信して、光源部３０１の各ＬＥＤ３０１ａ、３０１ｂ及び３０１ｃのそれぞれの点灯タイミングを決定する光源タイミング信号ＬＥＤ−Ｒ、ＬＥＤ−Ｇ及びＬＥＤ−Ｂを光源駆動回路３２１に出力する。また、同期制御回路３２５は、光源タイミング信号ＬＥＤ−Ｒ、ＬＥＤ−Ｇ及びＬＥＤ−Ｂと同期した色選択信号ＳＬ−Ｒ、ＳＬ−Ｇ及びＳＬ−Ｂを表示メモリ回路３２６に出力する。表示メモリ回路３２６は、色選択信号ＳＬ−Ｒ、ＳＬ−Ｇ及びＳＬ−Ｂに基づいて、内部に記憶している表示情報を表示データＤＴとして液晶駆動回路３２２に出力する。
【０００８】
電源部３２８は、光源駆動回路３２１、液晶駆動回路３２２、制御回路３２３にそれぞれ必要な電力を供給する。コンピュータ３３０は、カラー表示装置３００の外部にあって、発光時間情報を作成する外部制御部として機能し、時間制御データ３３０ｅをインターフェース回路３２７に出力する。色彩輝度計３３１は、液晶パネル３０４からの透過光（矢印Ｂ）の輝度や色度を測定し、色度データ３３１ａを生成してコンピュータ３３０に出力する。色彩輝度計３３１及びコンピュータ３３０は、白色バランスを調整する際にインターフェース回路３２７と接続されて用いられるもので、一旦調整が終了すると回路から取外される。コンピュータ３３０は、情報の入力操作を行う操作部と演算結果などの表示を行う表示部を有している。
【０００９】
次に、図２０に示すカラー表示装置３００における白色バランスの調整方法について説明する。
【００１０】
最初に、コンピュータ３３０を介して、Ｒ色ＬＥＤ３０１ａ、Ｇ色ＬＥＤ３０１ｂ及びＢ色ＬＥＤ３０１ｃの初期値の点灯時間データ等を時間メモリ回路３２４に記憶させる。次に、時間メモリ回路３２４に記憶された初期値の時間記憶データを読み出して、制御部３２３の同期制御回路３２５へ出力する。次に、同期制御回路３２５で光源タイミング信号ＬＥＤ−Ｒ、ＬＥＤ−Ｇ、ＬＥＤ−Ｂを生成して、光源駆動回路３２１に出力する。次に、光源駆動回路３２１で、光源タイミング信号ＬＥＤ−Ｒ、ＬＥＤ−Ｇ、ＬＥＤ−Ｂに基づいて、光源駆動電流３０６ａ、３０６ｂ及び３０６ｃを光源部３０１へ出力する。光源部３０１のＬＥＤ３０１ａ、ＬＥＤ３０１ｂ及びＬＥＤ３０１ｃは、光源タイミング信号ＬＥＤ−Ｒ、ＬＥＤ−Ｇ及びＬＥＤ−Ｂに合わせて点灯させる。
【００１１】
また、同期制御回路３２５から出力される光源タイミング信号ＬＥＤ−Ｒ、ＬＥＤ−Ｇ及びＬＥＤ−Ｂと同期して、同期制御回路３２５から色選択信号ＳＬ−Ｒ、ＳＬ−Ｇ及びＳＬ−Ｂが表示メモリ回路３２６へ出力される。次に、表示メモリ回路３２６では、受信した色選択信号ＳＬ−Ｒ、ＳＬ−Ｇ及びＳＬ−Ｂに応じて、記憶している表示情報の表示データＤＴを液晶駆動回路３２２に出力する。そして、液晶駆動回路３２２は、表示データＤＴに基づいて表示駆動信号３０７を液晶パネル３０４に出力して、液晶パネル３０４を駆動する。
【００１２】
Ｒ色ＬＥＤ３０１ａ、Ｇ色ＬＥＤ３０１ｂ及びＢ色ＬＥＤ３０１ｃの点灯と液晶パネル３０４の駆動は同期して行われる。ＬＥＤ３０１ａ、３０１ｂ及び３０１ｃの点灯による出力光（矢印Ａ）は駆動中の液晶パネル３０４を透過し、その透過光（矢印Ｂ）は液晶パネル３０４の表側に出力される。この表側に出力された透過光を色彩輝度計３３１で色度測定し、その色度データ３３１ａをコンピュータ３３０に入力する。コンピュータ３３０内では、入力された色度データ３３１ａが予め定められている規格値の範囲内にあるか否かの判定を行う。
【００１３】
ここで、入力された色度データ３３１ａが規格値外であると判定された場合には、点灯時間の修正値を求める。次に、コンピュータ３３０の操作部を操作して修正値に対応した時間制御データ３３０ｅを、インターフェース回路３２７を介して再び時間メモリ回路３２４に記憶させる。次に、修正値に対応した時間制御データ３３０ｅに基づいて、ＬＥＤ３０１ａ、３０１ｂ及び３０１ｃの点灯と液晶パネル３０４の駆動を行い、２回目の色度データ３３１ａを測定する。次に、測定した２回目の色度データ３３１ａをコンピュータ３３０に入力して判定を行う。この操作を色度データ３３１ａが規格値の範囲内になるまで繰り返して行い、白色バランスの最適化を図る。
【００１４】
このような調整方法によって、Ｒ色ＬＥＤ３０１ａ、Ｇ色ＬＥＤ３０１ｂ及びＢ色ＬＥＤ３０１ｃそれぞれの点灯時間が設定され、白色バランスを最適化される。
【００１５】
【特許文献１】特開２００４−８６０８１号公報
【発明の開示】
【発明が解決しようとする課題】
【００１６】
図２０に示すカラー表示装置３２０では、Ｒ色ＬＥＤ３０１ａ、Ｇ色ＬＥＤ３０１ｂ及びＢ色ＬＥＤ３０１ｃそれぞれの点灯時間を調整して白色バランスの最適化を図っている。しかしながら、カラー表示装置３００内には、同期制御回路３２５と表示メモリ回路３２６などを設けた制御部３２３を配置した構成を取っている。この制御部３２３の回路は、インターフェース回路３２７の基板の中に配置したとしても、複雑な回路パターン構成となり、広い面積の配置スペースを必要とする。従って、例えば携帯電話などに用いる液晶表示装置のように、小型で且つ狭いスペースの中に配置される表示装置には適さない。また、コンピュータも必要とすることから設備費なども高くなる。
【００１７】
そこで、本発明は、狭い配置スペースで、効果的に白色バランスの調整ができる表示装置を提供することを目的とする。
【課題を解決するための手段】
【００１８】
上記課題を解決するために、本発明に係る表示装置は、赤色、緑色及び青色成分画像を切り換えて順次表示する液晶表示パネルと、液晶表示パネルを駆動するためのパネル駆動信号及びタイミング信号を出力するパネル駆動部と、赤色ＬＥＤ、緑色ＬＥＤ及び青色ＬＥＤを有する光源部と、赤色ＬＥＤ、緑色ＬＥＤ及び青色ＬＥＤの輝度を設定するための設定部と、設定部による設定に基づいて赤色ＬＥＤ、緑色ＬＥＤ及び青色ＬＥＤの輝度を調整するための調整用データを出力する調整部と、タイミング信号に同期して且つ調整用データに基づいて赤色ＬＥＤ、緑色ＬＥＤ及び青色ＬＥＤを切り換えて順次発光させる光源駆動部を有することを特徴とする。
【００１９】
また、本発明に係る表示装置では、設定部は複数の導通パターン回路を有し、設定部における設定は、複数の導通パターン回路の少なくとも１つの導通パターン回路の非導通化によって行うことが好ましい。
【００２０】
さらに、本発明に係る表示装置では、設定部は複数の非導通パターン回路を有し、設定部における設定は、複数の非導通パターン回路の少なくとも１つの非導通パターン回路の導通化によって行うことが好ましい。
【００２１】
さらに、本発明に係る表示装置では、設定部はメモリを有し、設定部における設定は、メモリへの書き込みによって行うことが好ましい。
【００２２】
さらに、本発明に係る表示装置では、パネル駆動部に表示データを送信するための外部回路接続基板を更に有することが好ましい。
【００２３】
さらに、本発明に係る表示装置では、外部回路接続基板上に、光源部、設定部及び光源駆動部が配置されていることが好ましい。
【００２４】
さらに、本発明に係る表示装置では、外部回路接続基板は第１のＦＰＣ基板及び第２のＦＰＣ基板を有し、光源部及び光源駆動部は第１のＦＰＣ基板上に配置され、設定部は第２のＦＰＣ基板上に配置されることが好ましく、さらに第１のＦＰＣ基板及び第２のＦＰＣ基板は一体的に形成されていることが好ましい。
【００２５】
さらに、本発明に係る表示装置では、パネル駆動部及び調整部が、同一のＩＣ内に設けられていることが好ましい。
【００２６】
さらに、本発明に係る表示装置では、パネル駆動部、光源駆動部及び調整部が、同一のＩＣ内に設けられていることが好ましい。
【００２７】
さらに、本発明に係る表示装置では、パネル駆動部、調整部及び設定部が、同一のＩＣ内に設けられていることが好ましい。
【００２８】
さらに、本発明に係る表示装置では、パネル駆動部、光源駆動部、調整部及び設定部が、同一のＩＣ内に設けられていることが好ましい。
【００２９】
上記課題を解決するために、本発明に係る表示装置は、複数色成分画像を切り換えて順次表示する表示パネルと、表示パネルを駆動するためのパネル駆動信号及びタイミング信号を出力するパネル駆動部と、複数色に発光する光源部と、タイミング信号に同期して光源部を駆動するための駆動信号を出力する光源駆動部を有することを特徴とする。
【００３０】
上記課題を解決するために、本発明に係る表示装置は、表示パネルを駆動するためのパネル駆動信号を出力するパネル駆動部と、複数色に発光する光源部と、光源部の複数色のそれぞれの輝度を調整するための調整用データを出力する調整部とを有し、パネル駆動部及び調整部が、同一のＩＣ内に設けられていることを特徴とする。
【００３１】
また、本発明に係る表示装置では、調整用データに基づいて、光源部を駆動するための駆動信号を出力する光源駆動部をさらに有し、パネル駆動部、光源駆動部及び調整部が、同一のＩＣ内に設けられていることが好ましい。
【００３２】
さらに、本発明に係る表示装置では、光源部の複数色のそれぞれの輝度を設定するための設定部をさらに有し、調整部は設定部の設定に基づいて光源部の複数色のそれぞれの輝度を調整するための調整用データを出力し、パネル駆動部、設定部及び調整部が、同一のＩＣ内に設けられていることが好ましい。
【００３３】
さらに、本発明に係る表示装置では、光源部の複数色のそれぞれの輝度を設定するための設定部と、調整用データに基づいて光源部を駆動するための駆動信号を出力する光源駆動部とをさらに有し、調整部は設定部の設定に基づいて光源部の複数色のそれぞれの輝度を調整するための調整用データを出力し、パネル駆動部、光源駆動部、設定部及び調整部が、同一のＩＣ内に設けられていることが好ましい。
【００３４】
上記課題を解決するために、本発明に係る表示装置は、表示パネルを駆動するためのパネル駆動信号及びタイミング信号を出力するパネル駆動部と、複数色に発光する光源部と、光源部の複数色のそれぞれの輝度を調整するための調整用データを出力する調整部と、タイミング信号に同期して光源部を駆動するための駆動信号を出力する光源駆動部とを有し、パネル駆動部及び調整部が、同一のＩＣ内に設けられていることを特徴とする。
【００３５】
本発明に係る表示装置は、光源駆動用ＩＣにより駆動される照明とパネル駆動用ＩＣにより駆動される表示パネルとを備え、光源駆動用ＩＣは、パネル駆動用ＩＣからの出力に同期して、照明を駆動することを特徴とする。
【００３６】
また、本発明に係る表示装置では、照明は光源を有し、この光源はＬＥＤなる発光ダイオードであることが好ましい。
【００３７】
さらに、本発明に係る表示装置では、パネル駆動用ＩＣからの出力が光源駆動用ＩＣのためのタイミング信号であることが好ましい。
【００３８】
本発明に係る表示装置は、少なくとも光源を有する照明装置と前記光源からの光により照明される表示パネルを備え、表示パネルを駆動するパネル駆動用ＩＣから光源を駆動する光源駆動用ＩＣのためのタイミング信号を得たことを特徴とする。
【００３９】
また、本発明に係る表示装置では、光源はＬＥＤなる発光ダイオードであることが好ましい。
【００４０】
さらに、本発明に係る表示装置では、表示パネルは電気光学変換部材として液晶を用いた液晶表示パネルであることが好ましい。
【００４１】
さらに、本発明に係る表示装置では、パネル駆動用ＩＣにはタイミング信号を所定の値に設定するための調整回路を有することが好ましい。
【００４２】
さらに、本発明に係る表示装置では、調整回路はタイミング信号を所定の値に設定するための調整値設定部を有し、調整値設定部はパネル駆動用ＩＣの外に設けることが好ましい。
【００４３】
さらに、本発明に係る表示装置では、表示パネルには、少なくともパネル駆動用ＩＣへ信号を送る外部回路接続用基板が接続されており、外部回路接続用基板に調整回路の調整値設定部と光源用駆動ＩＣと光源とを配設することが好ましい。
【００４４】
さらに、本発明に係る表示装置では、表示パネルには、少なくともパネル駆動用ＩＣへ信号を送る外部回路接続用基板が接続されており、外部回路接続用基板に光源用駆動ＩＣと光源とを配設し、調整回路の調整値設定部は外部回路接続用基板とは別に設けた調整値設定用基板に配設することが好ましい。
【００４５】
さらに、本発明に係る表示装置では、調整値設定部における調整値設定は外部回路接続用基板又は調整値設定用基板に設けた少なくとも１つの導通パターン回路の１箇所を穿孔することが好ましい。
【００４６】
さらに、本発明に係る表示装置では、調整値設定部における調整値設定は外部回路接続用基板又は調整値設定用基板に設けた少なくとも１つのパターン回路の１箇所の非導通部を導通させることによって行うことが好ましい。
【００４７】
さらに、本発明に係る表示装置では、１箇所の非導通部の導通は半田付けで行うことが好ましい。
【００４８】
さらに、本発明に係る表示装置では、外部回路接続用基板又は調整値設定用基板はフレキシブル基板であることが好ましい。
【００４９】
本発明に係る表示装置は、少なくとも赤色、緑色、青色の成分画像を切り替えて表示する白黒画像液晶表示パネル、及び白黒画像液晶表示パネルにおける成分画像の切り替えタイミングに応じて白黒画像液晶表示パネルを照明する赤色、緑色、青色ＬＥＤを切り替えるフィールド・シーケンシャル方式であって、白黒画像液晶表示パネルを駆動するパネル駆動用ＩＣから赤色、緑色、青色ＬＥＤを切り替え且つ駆動するＬＥＤ駆動用ＩＣのためのタイミング信号を得たことを特徴とする。
【発明の効果】
【００５０】
本発明に係る表示装置では、表示パネルを駆動するパネル駆動用ＩＣと表示パネルを照明する光源が表示パネルに近い位置に配置され、光源を駆動する光源駆動用ＩＣが光源の近い位置に配置される。従って、パネル駆動用ＩＣと光源駆動用ＩＣとは比較的近い位置に在る。また、本発明に係る表示装置では、外部にある制御回路からパネル駆動用ＩＣに供給されるタイミング信号を、パネル駆動用ＩＣから取り出して、光源駆動用ＩＣに出力する構成を有している。したがって、外部の制御回路から直接光源駆動用ＩＣに配線パターンを引く必要はなくなり、長い引廻し配線パターンの本数を少なくすることができる。このような構成によって、配線パターンを短くすることができ、配線パターンなどの回路配置面積を小さくすることができ、配線抵抗を下げることもできる。したがって、表示装置の小型化が可能になり、表示装置を狭い配置スペースに取り付けることが可能となる。
【００５１】
本発明に係る表示装置では、光源に、Ｒ色ＬＥＤ、Ｇ色ＬＥＤ及びＢ色ＬＥＤを用いており、Ｒ色ＬＥＤ、Ｇ色ＬＥＤ及びＢ色ＬＥＤからの光の混色によって白色光を得ている。また、Ｒ色ＬＥＤ、Ｇ色ＬＥＤ及びＢ色ＬＥＤで色々な発色を得ることができる。即ち、表示パネルのフルカラー表示が可能となる。ＬＥＤは小型であり、コストも安いことから小型の表示装置の照明光源としては好適なものとして利用できる。また、ＬＥＤは低電圧で駆動できることから消費電力を小さく抑えることができ、また、表示装置の製造コストも安くできる。
【００５２】
本発明に係る表示装置では、表示パネルに光電変換部材として液晶を用いた液晶表示パネルを用いているので、低電圧で表示駆動ができ消費電力を小さく抑えることができる。また、薄型で小型の液晶表示パネルを製作可能であることから、表示装置を狭い配置スペース取り付けることが可能となる。
【００５３】
本発明に係る表示装置では、パネル駆動用ＩＣにＲ色ＬＥＤ、Ｇ色ＬＥＤ及びＢ色ＬＥＤのタイミング信号を所定のパルス幅の値に設定するための調整回路を設け、調整回路によって光源駆動用ＩＣから供給されるＲ色ＬＥＤ、Ｇ色ＬＥＤ及びＢ色ＬＥＤのタイミング信号を最適なパルス幅の値に設定する。これにより、最適な白色バランスを得ると共にバランスの取れたＲ、Ｇ、Ｂの色度が得られ、コントラストの均一なカラー画像表示が得られる。
【００５４】
本発明に係る表示装置では、調整回路は、タイミング信号を所定のパルス幅の値に設定するための調整値設定部を設け、調整値設定部をパネル駆動用ＩＣの外に配置している。調整値設定部をパネル駆動用ＩＣの外に配置することにより、液晶パネルの完成後に調整値を設定できるので、簡単な構成で、調整値の設定を行うことが可能となった。
【００５５】
本発明に係る表示装置では、（外部回路）接続用基板に、光源駆動用ＩＣ及び光源と共に調整値設定部を設けたので、調整値設定部をパネル駆動用ＩＣ、光源駆動用ＩＣ及び光源に近接した位置に設けることができる。このような配置によって、引廻し配線パターンを短くすることができるので、接続用基板の面積も小さく押さえることができる。したがって、接続用基板のコストを下げることが可能となる。また、引廻し配線パターンを短くすることができるので、配線抵抗も小さく押さえることができる。さらに、引廻し配線パターンを短くすることができるので、ノイズの発生や飛び込みを防止して制御の信頼性を向上させることができる。
【００５６】
本発明に係る表示装置において、導通パターン回路の穿孔／非穿孔によって調整値設定部における調整値設定行う場合には、単にパンチ穴を設ける作業で調整値が設定できるので、作業方法が簡単で、使用する器具類が簡素で良いので、安くて済む。
【００５７】
本発明に係る表示装置において、非導通パターン回路の導通／非導通によって調整値設定部における調整値設定行う場合には、半田付け作業や導電性接着剤塗布作業で調整値が設定できるので、作業方法が簡単で、低コストで設定を行うことができる。なお、半田付けによって、非導通パターン回路を導通させる場合には、電気抵抗を小さく押さえられるので良い導通品質が得られる。
【００５８】
本発明に係る表示装置において、（外部回路）接続用基板や調整値設定用基板にＦＰＣを用いる場合には、折り曲げが可能で、表示装置を小さくコンパクトに纏めることができる。したがって、表示装置を狭いスペースの中に配置することが可能になる。また、パンチ穴を設けて調整値設定を行う場合には、ＦＰＣには容易にパンチ穴を設けることができるので、調整値設定の作業が簡単になる。
【００５９】
本発明に係る表示装置において、パネル駆動用ＩＣと光源駆動用ＩＣが比較的近い位置に配置され、且つ、光源駆動用のタイミング信号をパネル駆動用ＩＣから得ている場合には、外部の制御回路から直接光源駆動用ＩＣに配線パターンを引く必要はなくなり、長い引廻し配線パターンの本数を少なくすることができる。このような構成によって、配線パターンを短くすることができ、配線パターンなどの回路配置面積を小さくすることができ、配線抵抗を下げることもできる。したがって、表示装置の小型化が可能になり、表示装置を狭い配置スペースに取り付けることが可能となる。
【００６０】
また、本発明に係る表示装置において、１つのＩＣチップ内に、「パネル駆動回路及び光源駆動回路」、「パネル駆動回路、光源駆動回路及び調整部」、又は、「パネル駆動回路、光源駆動回路、調整部及び設定部」が組み込まれ、且つ、光源駆動用のタイミング信号をパネル駆動回路から得ている場合には、外部の制御回路から直接光源駆動用ＩＣに配線パターンを引く必要はなくなり、長い引廻し配線パターンの本数を少なくすることができる。さらに、本発明に係る表示装置において、Ｅ２ＲＯＭを用いている場合には、パンチ抜きや半田付け作業が不要となり、製造コストが下げること及び省スペース化を図ることができる。
【００６１】
本発明に係る表示装置では、表示パネルの駆動タイミングと光源の駆動タイミングとを簡単な構成で完全に同期させることが可能となった。このことは、特に、フィールド・シーケンシャル方式を採用した場合に有効であり、最適な駆動が簡単な回路で実現できるので、部品数削減等のコストダウンの効果が得られる。
【発明を実施するための最良の形態】
【００６２】
以下図面を参照して、本発明に係る表示装置について説明する。しかしながら、本発明が、図面又は以下に記載される実施形態に限定されるものではないことを理解されたい。
【００６３】
図１は、本発明に係る表示装置の概略ブロック図である。
【００６４】
図１において、表示装置２０は、点線枠で示した表示パネル部１及び接続用基板部１１等から構成される。表示パネル部１は、表示パネル２、表示パネル２を駆動するため等のパネル駆動用ＩＣ（パネル駆動用集積回路）３等から構成されている。表示パネル２は、液晶を用いた液晶表示パネルであり、この液晶表示パネル自体は白黒の画像表示のみを行う。また、表示パネル２上には、パネル駆動用ＩＣ３のチップが設けられている。
【００６５】
なお、図１では、本発明の主要な信号の流れのみを示している。また、図示はしていないが、表示装置２０では、導光板や拡散板、反射板などを用いて表示パネル２の画像表示部全体に光源から光が均一に行き渡るような構造を有している。
【００６６】
制御回路１８は、表示パネル２及び光源部１２を制御する回路等から構成される。
【００６７】
（外部回路）接続用基板部１１は、外部にある制御回路１８からパネル駆動用ＩＣ３に制御信号１８ａを送るために設けられている。また、接続用基板部１１には、３種類の光源１２ａ、１２ｂ及び１２ｃを有した光源部１２と、この３種類の光源１２ａ、１２ｂ及び１２ｃをそれぞれ駆動する光源駆動用ＩＣ１３と、３種類の光源の点灯を制御するための光源駆動用タイミング信号１３ａ、１３ｂ及び１３ｃを調整する調整値設定部５−１とが設けられている。なお、接続用基板には、ＦＰＣ（Flexible Printed Circuit Boａrd：フレキシブル回路基板）などを用いることができる。ＦＰＣは可撓性を有しており、湾曲や折り曲げが可能である。
【００６８】
３種類の光源１２ａ、１２ｂ及び１２ｃは、それぞれ赤色（Ｒ）、緑色（Ｇ）、青色（Ｂ）の発光色を持つＬＥＤ（以下、単にＲ色ＬＥＤ、Ｇ色ＬＥＤ及びＢ色ＬＥＤと呼ぶ）を用いている。光源部１２は、Ｒ色ＬＥＤ、Ｇ色ＬＥＤ及びＢ色ＬＥＤを速い速度で順次点灯させて、表示パネル２を照明すると共に表示パネル２にカラー画像を表示させる。
【００６９】
パネル駆動用ＩＣ３は、表示パネル駆動回路４と、光源駆動用タイミング信号１３ａ、１３ｂ及び１３ｃのパルス幅を調整するための調整回路５とを有している。調整回路５は、光源駆動用タイミング信号１３ａ、１３ｂ及び１３ｃのパルス幅の値を設定するための調整値設定部５−１と接続されている。調整値設定部５−１は、接続用基板部１１上でパネル駆動用ＩＣ３に近い位置に配置されている。
【００７０】
表示パネル２は、電源配線、表示パネル駆動回路４、パネル駆動用ＩＣ３へ信号を送る信号用配線が配置される接続用基板部１１と接続されている。接続用基板部１１には、調整値設定部５−１、光源用駆動ＩＣ１３、及び光源１２が配置されている。
【００７１】
なお、調整値設定部５−１は、接続用基板部１１とは別に設けたＦＰＣ等から構成される他の基板に配置しても良い。また、接続用基板部１１に、温度センサー及び温度センサー用の配線を配置しても良い。
【００７２】
光源１２ａ、１２ｂ及び１２ｃに用いたＲ色ＬＥＤ、Ｇ色ＬＥＤ及びＢ色ＬＥＤは、それぞれ発光効率が異なる。例えば、同じ電流値の下ではＲ色ＬＥＤ、Ｇ色ＬＥＤ及びＢ色ＬＥＤの色度と輝度がそれぞれ異なる。特に、現在入手できるＬＥＤではＧ色ＬＥＤの輝度が一番低い。したがって、Ｒ色ＬＥＤ、Ｇ色ＬＥＤ及びＢ色ＬＥＤはそれぞれバランスの取れた輝度と色度を有する様に調整する必要がある。Ｒ色ＬＥＤ、Ｇ色ＬＥＤ及びＢ色ＬＥＤからの各発光色が混色することによって得られる白色を利用して、輝度と色度のバランス設定を行う。この様な白色バランスを取る方法として、本発明においては、パネル駆動用ＩＣ３内に調整回路５を設け、調整値設定部５−１を利用して、光源駆動用タイミング信号を所定のパルス幅になるように調整する方法を用いている。即ち、Ｒ色ＬＥＤ、Ｇ色ＬＥＤ及びＢ色ＬＥＤのタイミング信号のパルス幅をそれぞれ調整して、白色バランスが最も良い状態が得られる最適なパルス幅に設定する。
【００７３】
光源駆動用タイミング信号１３ａ、１３ｂ及び１３ｃは、パネル駆動用ＩＣ３に入力される信号を利用して形成されているので、光源駆動用のタイミング信号１３ａ、１３ｂ及び１３ｃとパネル駆動用タイミング信号４ａとは同期が取られている。言い換えると、光源駆動用タイミング信号１３ａ、１３ｂ及び１３ｃとパネル駆動用タイミング信号４ａは、容易に同期を取ることができるので、簡単な回路設計で、少ない部品点数によって同期を取ることが可能となる。この点は、フィールド・シーケンシャル方式（ＦＳＣ）の表示装置においては、大きな利点となる。
【００７４】
以上の如く、本発明は、光源駆動用ＩＣにより駆動される照明とパネル駆動用ＩＣ３により駆動される表示パネルとを備えた表示装置において、光源駆動用ＩＣは、パネル駆動用ＩＣからの出力に同期して、照明を駆動することを特徴とする表示装置である。このとき、照明は光源を有し、この光源はＬＥＤなる発光ダイオードである。さらに、パネル駆動用ＩＣからの出力が光源駆動用ＩＣのためのタイミング信号であることを特徴とする表示装置である。
【００７５】
また、本発明は、少なくとも光源を有する照明装置と光源からの光により照明される表示パネルを備える表示装置において、表示パネルを駆動するパネル駆動用ＩＣから光源を駆動する光源駆動用ＩＣのためのタイミング信号を得たことを特徴とする表示装置である。この表示装置において、光源はＬＥＤなる発光ダイオードであることを特徴とする。
【００７６】
図２は、図１における調整値設定部５−１の構成の一例を示す図である。
パネル駆動用ＩＣ３内にある調整回路５はパネル駆動用ＩＣ３の外に配置された調整値設定部５−１と接続されており、調整値設定部５−１は例えば図２において点線枠で示したパターン構成を有している。図２に示す様に、調整値設定部５−１は、調整回路５と接続された５つ（５本）の導通パターン回路ｅ１、ｅ２、ｅ３、ｅ４、ｅ５を有している。また、ｆ１、ｆ２、ｆ３は穿孔（パンチ穴）を示しており、その部分で回路の導通を切断している。従って、パターン回路ｅ１は穿孔ｆ１の部分で導通が切断されている。同様に、パターン回路ｅ２も穿孔ｆ２の部分で導通が切断され、パターン回路ｅ３も穿孔ｆ３の部分で導通が切断されている。なお、パターン回路ｅ４、ｅ５は穿孔部分がないので導通は切断されていない。
【００７７】
ここで、導通する回路は論理‘１’とし、穿孔により切断された回路は論理‘０’とし、１本のパターン回路で論理‘１’または論理‘０’の２種類の区分けができるようにしている。そして、論理‘１’の回路、論理‘０’の回路にはそれぞれ値の異なるデューティ（Duty）比が設定される。
【００７８】
現在入手できるＬＥＤでは、同じ電流値で駆動した場合には、Ｇ色ＬＥＤの輝度が他のＲ色ＬＥＤやＢ色ＬＥＤの輝度より低いことから、本実施形態においては、Ｇ色ＬＥＤの輝度を基準にして他のＲ色ＬＥＤやＢ色ＬＥＤの輝度を調整する。輝度の調整は、パルス幅変調方式により行う。具体的にはＲ色ＬＥＤ、Ｇ色ＬＥＤ及びＢ色ＬＥＤのそれぞれのタイミング信号のパルス幅を最適なものに設定することで行う。図２に示す調整値設定部５−１では、Ｇ色ＬＥＤのタイミング信号の調整値設定をパターン回路ｅ５の１本で行い、Ｒ色ＬＥＤのタイミング信号の調整値設定をパターン回路ｅ１とｅ２の２本を用いて行い、Ｂ色ＬＥＤのタイミング信号の調整値設定をパターン回路ｅ３とｅ４の２本を用いて行う。
【００７９】
最初に、Ｒ色ＬＥＤ、Ｇ色ＬＥＤ及びＢ色ＬＥＤのタイミング信号に、一定の同じデューティ比（初期値）を与えておく。Ｇ色ＬＥＤのタイミング信号１３ｂのデューティ比は、１本のパターン回路ｅ５から得られる論理‘１’によるデューティ比（最初に与えたデューティ比）と論理‘０’によるデューティ比の何れかとなる。Ｒ色ＬＥＤのタイミング信号１３ａのデューティ比は、２本のパターン回路ｅ１とｅ２とから得られる論理‘００’によるデューティ比（最初に与えたデューティ比）、論理‘０１’によるデューティ比、論理‘１０’によるデューティ比及び論理‘１１’によるデューティ比の何れかとなる。Ｂ色ＬＥＤのタイミング信号１３ｃのデューティ比は、２本のパターン回路ｅ３とｅ４とから得られる論理‘００’によるデューティ比（最初に与えたデューティ比）、論理‘０１’によるデューティ比、論理‘１０’によるデューティ比及び論理‘１１’によるデューティ比の何れかとなる。Ｒ色ＬＥＤのタイミング信号１３ａ、Ｇ色ＬＥＤのタイミング信号１３ｂ及びＢ色ＬＥＤのタイミング信号１３ｃの各デューティ比のデータは、調整回路５内に設けられているメモリ内に予め記憶されている。このように、調整値設定部５−１の５つ（５本）の導通パターン回路ｅ１、ｅ２、ｅ３、ｅ４、ｅ５を用いて、Ｒ色ＬＥＤのタイミング信号１３ａ、Ｇ色ＬＥＤのタイミング信号１３ｂ及びＢ色ＬＥＤのタイミング信号１３ｃをそれぞれ最適なパルス幅に調整する。
【００８０】
図３は、光源駆動用のタイミング信号の一例を示す図である。
【００８１】
図３は、調整値設定部５−１を用いて調整されたＲ色ＬＥＤのタイミング信号１３ａ、Ｇ色ＬＥＤのタイミング信号１３ｂ及びＢ色ＬＥＤのタイミング信号１３ｃの一例を示している。図３において、Ｒ色ＬＥＤのタイミング信号１３ａのデューティ比はＲｄ／Ｔｒ、Ｇ色ＬＥＤのタイミング信号１３ｂのデューティ比はＧｄ／Ｔｇ、Ｂ色ＬＥＤのタイミング信号１３ｃのデューティ比はＢｄ／Ｔｂとなる。ここで、ＴｒはＲ色ＬＥＤの点灯／消灯のためのサブフレーム期間を示し、ＴｇはＧ色ＬＥＤの点灯／消灯のためのサブフレーム期間を示し、ＴｂはＢ色ＬＥＤの点灯／消灯のためのサブフレーム期間を示しており、Ｔは１フレーム期間を示している。図３に示す様に、Ｇ色ＬＥＤの発光時間が一番長く、Ｒ色ＬＥＤ及びＢ色ＬＥＤの発光時間はＧ色ＬＥＤの発光時間より短くなっている。このように調整することによって、Ｒ、Ｇ、Ｂの色度バランスを最適なものにしている。
【００８２】
調整値設定部５−１に設けられたパターン回路の穿孔方法について説明する。
最初に、Ｒ色ＬＥＤ、Ｇ色ＬＥＤ及びＢ色ＬＥＤを同時に発光させ、混色によって白色光を発生させ、導光版等を介して表示パネル２を照明する。また、表示パネル２は、光透過状態となるように駆動される。次に、表示パネル２の面上で、色彩輝度計を利用して色度測定を行う。次に、色彩輝度計による色度データを見て、Ｇ色ＬＥＤのタイミング信号１３ｂ調整用の１本のパターン回路ｅ５、Ｒ色ＬＥＤのタイミング信号１３ａ調整用の２本のパターン回路ｅ１、ｅ２、Ｂ色ＬＥＤのタイミング信号１３ｃ調整用の２本のパターン回路ｅ３、ｅ４について、どのパターン回路を穿孔するかを決定する。一度に決定できない場合は、色毎に調整値を決定する。
【００８３】
図１に示す表示装置２０の動作について説明する。
【００８４】
表示装置２０の外部に設けた制御回路１８から出力した制御信号１８ａは、接続用基板部１１を介してパネル駆動用ＩＣ３に入力される。パネル駆動用ＩＣ３は、受信した制御信号１８ａに基づいてパネル駆動信号４ａを生成し、表示パネル２へ出力する。表示パネル２は、パネル駆動信号４ａに基づいて駆動される。
パネル駆動信号４ａと同期した第１の光源タイミング信号４ｂが、表示パネル駆動回路４から調整回路５へ出力される。第１の光源タイミング信号４ｂとして、パネル駆動信号４ａに含まれるクロック信号を利用することができるが、パネル駆動信号４ａに含まれるクロック信号を分周等して得られたクロック信号を利用しても良い。調整回路５では、調整値設定部５−１に設けられたパターン回路の穿孔に基づいて、Ｒ色ＬＥＤ用のデューティ比（例えば、Ｒｄ／Ｔｒ）、Ｇ色ＬＥＤ用のデューティ比（例えば、Ｇｄ／Ｔｇ）及びＢ色ＬＥＤ用のデューティ比（例えば、Ｂｄ／Ｔｂ）を所定の値に設定するためのデータを生成する。また、調整回路５では、生成した各色ＬＥＤのデューティ比を示すデータと、第１の光源タイミング信号４ｂとを、第２の光源タイミング信号５ｂとして光源駆動用ＩＣ１３へ出力する。光源駆動用ＩＣ１３では、受信した各色ＬＥＤのデューティ比を示すデータに基づいて各色ＬＥＤ駆動用のタイミング信号のパルス幅を調整及び設定し、且つ受信した第１の光源タイミング信号４ｂ（クロック信号）に同期させて、Ｒ色ＬＥＤ用のタイミング信号１３ａ、Ｇ色ＬＥＤのタイミング信号１３ｂ及びＢ色ＬＥＤのタイミング信号１３ｃ（図３参照）を生成する。
【００８５】
光源駆動用ＩＣ１３からのＲ色ＬＥＤ用のタイミング信号１３ａ、Ｇ色ＬＥＤのタイミング信号１３ｂ及びＢ色ＬＥＤのタイミング信号１３ｃに基づいて、光源１２ａ、１２ｂ及び１２ｃが順次切り換わりながら点灯及び消灯を繰り返す。これにより、光源１２ａ（Ｒ色ＬＥＤ）、光源１２ｂ（Ｇ色ＬＥＤ）及び光源１２ｃ（Ｂ色ＬＥＤ）からの各色光は、バランスの取れた色度と輝度が得られ、光源１２ａ（Ｒ色ＬＥＤ）、光源１２ｂ（Ｇ色ＬＥＤ）及び光源１２ｃ（Ｂ色ＬＥＤ）からの各色光による混色によって、バランス取れた白色を得ることができる。
【００８６】
以上述べたように、図１に示す表示装置２０では、光源駆動用ＩＣ１３に供給される第２のタイミング信号５ｂが、調整回路５で生成した各色ＬＥＤのデューティ比を示すデータと、パネル駆動信号４ａと同期した第１の光源タイミング信号４ｂとを含むように、構成されている。
【００８７】
従来のパネル駆動用ＩＣや光源駆動用ＩＣでは、別の位置にある制御回路からそれぞれ別個に外部回路接続用基板に設けた長い引廻し配線パターンを介してタイミング信号を得る回路構成を取っていた。これに対して、本発明に係る表示装置２０では、長い引廻し配線パターンの数を少なくすることができる。このことにより、本発明に係る表示装置２０では、接続用基板部１１の大きさを小さくすることができ、表示装置全体の小型化が可能となる。
【００８８】
また、表示装置２０では、調整値設定部５−１をパネル駆動用ＩＣ３の近い位置にある接続用基板部１１上に設けた。これによって、タイミング信号の調整が容易となり、併せて、引廻し配線パターンを短くすることができて配線抵抗を下げる効果を生む。さらに、表示装置２０では、接続用基板部１１上に複数の導通パターン回路（調整値設定部５−１）を設け、その導通パターン回路の導通を遮断する穿孔を設けることによって、光源駆動用タイミング信号のパルス幅を調整する構成を取った。これによって、非常に調整作業が簡単で、且つ短時間で光源駆動用タイミング信号の設定ができるようになった。
【００８９】
また、接続用基板部１１としてＦＰＣを用いることで折り曲げが容易となり、コンパクトな表示装置を構成することが可能となった。また、表示装置をコンパクトに小型にまとめることができるので、狭いスペースに表示装置を配置することも可能となった。なお、接続用基板部１１はＦＰＣに限るものではなく、多層ＦＰＣよりなるリジット基板なども接続用基板部１１として利用することができる。
【００９０】
上記の例では、光源駆動用タイミング信号の設定を、図２に示す複数の導通パターン回路に穿孔を設けることによって行う構成を採用したが、設定方法はこの構成に限るものではない。
【００９１】
図４は、図１における調整値設定部５−１の構成の他の例を示す図である。
【００９２】
例えば、図２に示す調整地設定部の代わりに、図４に示す調整地設定部を利用することができる。図４に示す調整値設定部では、複数のパターン回路ｈ１、ｈ２、ｈ３、ｈ４、ｈ５に、前もって導通を切断する１箇所の非導通部ｊ１、ｊ２、ｊ３、ｊ４、ｊ５を設けておき、導通を必要とするパターン回路の非導通部に半田付け（図４においてはｊ４、ｊ５が半田付けした部分を示している）を施して導通の取れたパターン回路を形成する。即ち、導通の取れたパターン回路（例えば、ｈ４、ｈ５）と導通のないパターン回路（例えば、ｈ１、ｈ２、ｈ３）によって、調整値を設定する構成を取っている。この様に、図４に示す調整値設定部での設定方法は、図２に示す方法と逆の設定方法を取っているが、簡単に設定を行える点は同じである。
【００９３】
なお、図４において、非導通部を導通させるやり方としては半田付け方法に限るものではなく、例えば、導電性接着剤を塗布して導通を図る方法なども選択できる。半田付け方法は電気抵抗を小さく押さえることができるので好ましい方法である。
【００９４】
また、図２及び図４においては、Ｇ色ＬＥＤのタイミング信号のパルス幅調整値の設定は１本のパターン回路で行い、Ｒ色ＬＥＤのタイミング信号のパルス幅調整値の設定は２本のパターン回路で行い、Ｂ色ＬＥＤのタイミング信号のパルス幅調整値の設定は２本のパターン回路で行った。即ち、合計５本のパターン回路で光源駆動用タイミング信号の設定を行った。しかしながら、パターン回路の本数や割り振りはこれらに限定されることなく、適宜好ましい対応を採用することができる。特に、パターン回路の本数や割り振りはＲ色ＬＥＤ、Ｇ色ＬＥＤ及びＢ色ＬＥＤからの各色光の色度バランスの調整精度を考慮して決めるのが好ましく、パターン回路の本数を多くすれば、色度バランスの調整精度を高めることができる。また、粗い調整精度でも良い場合は、Ｒ色ＬＥＤのタイミング信号、Ｇ色ＬＥＤのタイミング信号及びＢ色ＬＥＤのタイミング信号用にそれぞれ１本のパターン回路を割り振ったり、又はＧ色ＬＥＤのタイミング信号のみに２本のパターン回路を割り振ったりすることも可能である。
【００９５】
以下、本発明に係る表示装置について、具体的な実施例を用いてさらに詳しく説明する。
【実施例１】
【００９６】
本発明に係る実施例１を図５〜図８を用いて説明する。図５は実施例１に係る表示装置４０の平面図であり、図６は図５における表示装置のＣ−Ｃ断面図であり、図７は図５における表示装置の背面図であり、図８は接続用基板の折り曲げ方を説明するための説明図である。
【００９７】
表示装置４０は、図５及び図６に示すように、表示パネル２２、表示パネル２２を照明するために設けた光源３２及び導光板３５等から構成される照明部、照明部を収納して表示パネル２２を支持する支持枠３７、外部の制御回路基板と表示パネル２２及び光源３２を接続するために設けられたＦＰＣ３１等から構成されている。
【００９８】
表示パネル２２は、支持枠３７に支持されて固定されている。表示パネル２２には、その外縁延設部に引き出した配線パターン上に導電性接着剤等によってパネル駆動用ＩＣ２３が設けられている。
【００９９】
ＦＰＣ３１はパネル駆動用ＩＣ２３と導通接続されている。また、ＦＰＣ３１は、表示パネル２２の下基板２２ｂ上の配線電極と導電性接着剤などによって接続されている。ＦＰＣ３１は、外部回路（図示せず）との接続用基板として機能している。ＦＰＣ３１は、外部にある表示パネルの制御回路や光源の制御回路などを設けてある制御回路と接続して、その制御信号（表示データ等）などをパネル駆動用ＩＣに伝達している。ＦＰＣ３１には、表示パネル２２の照明やカラー画像表示のための３個のＬＥＤ３２ａ、３２ｂ、３２ｃから構成される光源３２、３個のＬＥＤ３２ａ、３２ｂ、３２ｃを駆動する光源駆動用ＩＣ３３等が設けられている。ＦＰＣ３１上に設けられた３個のＬＥＤ３２ａ、３２ｂ、３２ｃが、図６に示すように、支持枠３７の裏面側から導光板３５の側面に配置されるように、ＦＰＣ３１の一部分が折り曲げられるように構成されている。
【０１００】
表示パネル２２を固定した支持枠３７の内部には、図６に示すように、表示パネル２２の下面側に光拡散シート３６と導光板３５が積層されている。導光板３５の一側面側に、３個のＬＥＤ３２ａ、３２ｂ、３２ｃが配置されている。３個のＬＥＤ３２ａ、３２ｂ、３２ｃは、表示パネル２２に設けたパネル駆動用ＩＣ２３のほぼ真下に配置されている。
【０１０１】
支持枠３７の裏面には、図７に示すように、一部分にＬＥＤ３２の挿入用の開口部３７ａが設けられている。この開口部３７ａは表示パネル２２に設けたパネル駆動用ＩＣ２３の真下の位置位に配置されている。３個のＬＥＤ３２ａ、３２ｂ、３２ｃは、支持枠３７の裏面側に設けた開口部３７ａから支持枠３７の内部に挿入されて、導光板３５の側面に近接できるように構成されている。
【０１０２】
表示パネル２２上に設けられたパネル駆動用ＩＣ２３には、表示パネル駆動回路２４及び光源３２のタイミング信号を調整する調整回路２５が組み込まれている。この調整回路２５は、パネル駆動用ＩＣ２３の外部に配置された３個のＬＥＤ３２ａ、３２ｂ、３２ｃのタイミング信号を所定のパルス幅に調整するための調整値設定部２５−１と接続している。調整値設定部２５−１は、図７において点線で示すパターン回路を有し、ＦＰＣ３１上のパネル駆動用ＩＣ２３と近接した位置に設けられている。
【０１０３】
図６に示す様に、表示パネル２２では、上基板２２ａと下基板２２ｂとを数μｍ（例えば、ＦＳＣで用いるＴＦＴパネルでは４．７μｍ、ＦＳＣ以外のＴＦＴパネルでは５μｍ）の隙間を持たせて対向して配置し、その隙間の中に電気光学部材である液晶を封入した構造を有している。また、表示パネル２２の上下基板２２ａ、２２ｂの上下面には、偏光板２２ｊ、２２ｋが設けられている。上下基板２２ａ、２２ｂは、透明なガラスなどからなる透明基板から構成されている。上基板２２ａの液晶側には、ＩＴＯからなる透明電極と、この透明電極上に設けた配向膜が設けられている。下基板２２ｂの液晶側にも、ＩＴＯからなる透明電極と、この透明電極上に設けた配向膜が設けられている。下基板２２ｂの透明電極は、矩形形状でマトリックス状に配置された複数の電極素子を有し、それぞれの電極素子にはＴＦＴ素子が設けられている。ＴＦＴ素子の設けられた電極素子が１つの画素を形成し、その画素が複数集まって画像が形成されるように構成されている。上基板２２ａの透明電極は、平面電極であるが、必ずしも全面に設ける必要はなく、電極パターンであっても良い。なお、上基板２２ａにＴＦＴ素子を設け、下基板２２ｂの透明電極を平面電極としても良い。
【０１０４】
液晶としては、粘度の低いＴＮ液晶を用いたが、ＳＴＮ液晶又は強誘電液晶等を用いることもできる。本実施例では、液晶は、電圧無印加状態では光を透過し、電圧印加状態で光を遮断するように（ノーマリホワイトに）設定されている。ＳＴＮ液晶を用いる場合には、逆にノーマリブラックとする。本発明では、ノーマリホワイト、ノーマリブラックいずれにも適用できる。
【０１０５】
パネル駆動用ＩＣ２３は、下基板２２ｂの延出部分に異方性導電接着剤（絶縁性接着剤に導電粒子を混在させた）などの導電性接着剤を介して下基板２２ｂの配線電極に接続して接着される。パネル駆動用ＩＣ２３は、表示パネル駆動回路２４と３個のＬＥＤ３２ａ、３２ｂ、３２ｃのタイミング信号を調整する調整回路２５が組み込まれている。調整回路２５は、赤色発光のＬＥＤ、緑色発光のＬＥＤ、青色発光のＬＥＤからなる光源３２からの発光色の混色による白色バランスを調整するために設けられている。パネル駆動信号は、表示パネル駆動回路２４から表示パネル２２に出力され、表示パネル２２を駆動する。また同時に、表示パネル駆動回路２４から、タイミング信号（例えば、クロック信号）が調整回路２５に出力される。調整回路２５は、入力されたタイミング信号及びＦＰＣ３１に設けたパルス幅の調整値設定部２５−１（図６及び７参照）で設定された所要のパルス幅調整値データを含む信号２５ｂを、ＦＰＣ３１に設けた光源駆動用ＩＣ３３に出力する。
【０１０６】
図７はＦＰＣ３１の展開図で、裏面側を示している。パネル駆動用ＩＣ２３の調整回路２５に近接する位置のＦＰＣ基板３１に点線で示した調整値設定部２５−１が設けられている。調整値設定部２５−１の位置の近くに、光源駆動用ＩＣ３３と３個のＬＥＤ３２ａ、３２ｂ、３２ｃが設けられている。光源駆動用ＩＣ３３と調整回路２５との間にはパターン回路が設けられ、入力されたタイミング信号及びＦＰＣ３１に設けたパルス幅の調整値設定部２５−１で設定された所要のパルス幅調整値データを含む信号２５ｂが、調整回路２５から光源駆動用ＩＣ３３に出力されるように構成されている。また、光源駆動用ＩＣ３３と３個のＬＥＤ３２ａ、３２ｂ、３２ｃとの間にはそれぞれパターン回路が設けられ、光源駆動用ＩＣ３３から３個のＬＥＤ３２ａ、３２ｂ、３２ｃのそれぞれに光源駆動信号３３ａ、３３ｂ、３３ｃが出力される。
【０１０７】
光源３２は、赤色（Ｒ）発光のＬＥＤ３２ａ、緑色（Ｇ）発光のＬＥＤ３２ｂ、青色（Ｂ）発光色のＬＥＤ３２ｃを有している。ＬＥＤの製品の形態としては、Ｒ色、Ｇ色及びＢ色ＬＥＤの１個１個がそれぞれのパッケージに入った単個パッケージと、Ｒ色、Ｇ色及びＢ色ＬＥＤが１つのパッケージに入った、所謂３・イン・ワンのパッケージがあるが、本実施例では、いずれも利用することができる。
【０１０８】
調整値設定部２５−１は、５本のパターン回路を有しており、図２に示したパターン回路５−１と同じ回路をなしている。即ち、５本のパターン回路の内、Ｇ色ＬＥＤ３２ｂのタイミング信号の調整用に１本、Ｒ色ＬＥＤ３２ａのタイミング信号の調整用に２本、Ｂ色ＬＥＤ３２ｃのタイミング信号の調整用に２本が利用される。Ｒ色ＬＥＤ３２ａ、Ｇ色ＬＥＤ３２ｂ及びＢ色ＬＥＤ３２ｃのタイミング信号の調整値を設定する方法は、導通するパターン回路に、パンチ穴による穿孔ｆを設けることによって行う。また、本実施例１における、Ｒ色ＬＥＤ３２ａ、Ｇ色ＬＥＤ３２ｂ及びＢ色ＬＥＤ３２ｃのタイミング信号の調整値を設定する方法は、図２を用いて説明した方法と同じ方法と同じである。本実施例１では、調整値として、Ｇ色ＬＥＤ３２ｂのタイミング信号のデューティ比を約２０％、Ｒ色ＬＥＤ３２ａのタイミング信号のデューティ比を約１０％及びＢ色ＬＥＤ３２ｃのタイミング信号のデューティ比を約１０％に設定した。デューティ比は発光時間を基準にして設定しているもので、例えば、Ｇ色ＬＥＤ３２ｂの発光時間を約３．５ｍｓとするとＲ色ＬＥＤ３２ａの発光時間は約１．７５ｍｓ、Ｂ色ＬＥＤ３２ｃの発光時間は約１．７５ｍｓである。
【０１０９】
本実施例１において、支持枠３７は、白色のポリカーボネイト樹脂などを用いて射出成形によって形成したものである。３個のＬＥＤ３２a、３２ｂ及び３２ｃや導光板３５などが収納される、支持枠３７の内面は、光沢のある面でもって形成され、ＬＥＤの発光した光が良く反射する状態に仕上げられている。また、支持枠３７は、四角い収納凹部を有しており、その収納凹部に３個のＬＥＤ３２a、３２ｂ及び３２ｃや導光板２５が収納される。導光板３５の上面側には光拡散シート３６が積層して配置され、更にその上に表示パネル２２が載置されて、支持枠３７に固定される。支持枠３７の底面の端部には、３個のＬＥＤが外から挿入できるように開口部３７ａが設けられている。また、光拡散シート３６と表示パネル２２との間に必要に応じてプリズムシートを設けることもできる。
【０１１０】
導光板３５は、透明なアクリル樹脂などから構成され、ＬＥＤ３２からの光をその側面から取り入れて、表示パネル２２に出射する。出射光を表示パネル全体に均一にするために、導光板３５の下面に反射手段が設けられている。
【０１１１】
ＦＰＣ３１に設けた３個のＬＥＤ３２a、３２ｂ及び３２ｃは、ＦＰＣ３１が折り曲げられた状態で、支持枠３７の開口部３７ａから支持枠３７の内部に挿入され、導光板３５の側面の近接した位置に配置される。折り曲げたＦＰＣ３１は、両面接着シートで、支持枠３７の裏面に貼合わされて、固定される。
【０１１２】
ＦＰＣ３１の折り曲げは図８に示す手順で行う。最初に、調整値設定部２５−１が設けられているＦＰＣ３１の突き出し枝部３１ｃを一点鎖線で示したｘの部分を折り目としてＩの方向に折り曲げる。次に、３個のＬＥＤ３２a、３２ｂ及び３２ｃが設けられてあるＦＰＣ３１の突き出し枝部３１ｂを一点鎖線で示したｙの部分を折り目としてIIの方向に折り曲げる。この時、３個のＬＥＤ３２a、３２ｂ及び３２ｃを支持枠３７の開口部３７ａの中に挿入する。これによって、３個のＬＥＤ３２a、３２ｂ及び３２ｃは導光板３５の側面の位置に配置される。
【０１１３】
上記のように折り曲げると、調整値設定部２５−１を設けてある突き出し枝部３１ｃは、３個のＬＥＤ３２a、３２ｂ及び３２ｃを設けてある突き出し枝部３１ｂと制御回路（図示していない）側に伸びているＦＰＣ基板３１の導通パターンのメイン部３１ａとの間にサンドイッチされた状態となる。したがって、突き出し枝部３１ｃは、動くことなく、且つ、邪魔にならない状態で納まる。さらに、ＦＰＣ基板３１自体もスペースを取らずに小さく折り畳んだ状態で納められ、小型に纏めることができる。これによって、表示装置を、狭いスペースの中でも配置することができるようになる。
【０１１４】
次に、調整値設定部２５−１における調整値設定の方法について説明する。
【０１１５】
最初に、調整値未設定の状態で、Ｉの折り曲げ及びIIの折り曲げを行う。次に、３個のＬＥＤ３２a、３２ｂ及び３２ｃを導光板２５の側面に配置して仮固定する。仮固定は、後で固定を解除できるようにする簡単な固定で、例えば、両面接着テープや接着遮光テープなどを利用する。次に、３個のＬＥＤ３２a、３２ｂ及び３２ｃを同時に発光させて、混色による白色光を表示パネル２２上に表示させる。次に、表示パネル２２上に表示された白色光の彩度を色彩輝度計で測定する。次に、測定した白色光の彩度に基づいて、調整値設定部２５−１における５本のパターン回路のどこを穿孔するかを決定する。次に、仮固定部分を取り外して３個のＬＥＤ３２a、３２ｂ及び３２ｃを支持枠３７から取り出し、IIとＩの折り曲げを元に戻す。次に、パターン回路の決定した箇所にパンチ穴を明ける（穿孔処理）。最後に、再びＩの折り曲げ及びIIの折り曲げを行って、３個のＬＥＤ３２a、３２ｂ及び３２ｃを導光板２５の側面に配置して本固定する。本固定は前述したように両面接着シートなどを用いて行う。これによって、調整値が設定された最終組立品が得られる。
【０１１６】
他の調整値の設定方法として、３個のＬＥＤ３２a、３２ｂ及び３２ｃの個々の特性を予め測定しておき、その特性に対応して調整値設定部２５−１のパターン回路の穿孔処理を行い、その後、Ｉの折り曲げ及びIIの折り曲げを行う方法を採用することもできる。この設定方法では、安いコストで生産できるという効果がある。
【０１１７】
本実施例１の表示装置４０は、液晶表示パネル２２を用いており、液晶表示パネル２２自体は白黒の画像が表示される。しかしながら、表示装置４０は、Ｒ色ＬＥＤ３２ａ、Ｇ色ＬＥＤ３２ｂ及びＢ色ＬＥＤ３２ｃを高速で順次切り換えて発光をさせながら、白黒画像の液晶表示パネルの画素を駆動しているので、カラー表示画像が得ることができる。即ち、表示装置４０は、フィールド・シーケンシャル方式の液晶表示装置である。なお、表示装置４０では、２色の混色カラー画像や３色の混色画像も得ることができる。
【０１１８】
表示パネル駆動回路２４から、タイミング信号（例えば、クロック信号）が調整回路２５に出力される。調整回路２５は、入力されたタイミング信号及びＦＰＣ３１に設けたパルス幅の調整値設定部２５−１で設定された所要のパルス幅調整値データを含む信号２５ｂを、ＦＰＣ３１に設けた光源駆動用ＩＣ３３に出力する。Ｒ色ＬＥＤ３２ａ、Ｇ色ＬＥＤ３２ｂ及びＢ色ＬＥＤ３２ｃのタイミング信号は光源駆動用ＩＣ３３から出力される。これによって、Ｒ色、Ｇ色及びＢ色の輝度のバランスが取れ、良好な色度又は輝度の白色光を得ることができる。なお、調整値設定部２５−１の調整によって、Ｒ色ＬＥＤ、Ｇ色ＬＥＤ及びＢ色ＬＥＤの各点灯タイミングを調整するようにしても良い。
【０１１９】
本実施例１において、光源駆動用のタイミング信号のパルス幅調整は、調整回路２５で行う。調整回路２５はパネル駆動用ＩＣ２３の内部に設けられているが、調整回路２５はパネル駆動用ＩＣ２３の内部に設けられた表示パネル駆動回路２４からタイミング信号（クロック信号）を得る構成を取っている。したがって、外部にある回路から別途に、タイミング信号の供給を受ける必要がないことから、引廻し配線パターンの数を少なくすることができる。このことは、ＦＰＣからなる（外部回路）接続用基板の大きさを小さくできる効果を生む。
【０１２０】
調整回路２５での発光タイミング信号のパルス幅調整の設定は、パネル駆動用ＩＣ２３の外部に設けた調整値設定部２５−１によって行う。したがって、調整値の設定を、簡単、容易に行うことができる。調整値設定部２５−１では、５本の導通パターン回路を設け、その中で必要とするパターン回路にパンチ穴の穿孔を設ける方法を取っている。５本の導通パターン回路は、柔らかいＦＰＣ上に設けられているので、簡単にパンチ穴を形成することができ、短時間の作業で調整値を設定することができる。なお、調整値の設定方法はパンチ穴による穿孔に限定されるものではなく、例えば、前述の図４に示した半田付けによる構成を用いても良い。
【０１２１】
本実施例１では、調整値設定部２５−１は、ＦＰＣ上のパネル駆動用ＩＣ２３に近接する位置に設けられていることから、パターン回路を小さく構成することができる。
【０１２２】
本実施例１では、外部回路との接続にＦＰＣを用いている。ＦＰＣは、可撓性があって折り曲げ可能であることから、折り畳みを行ってコンパクトに小さく纏めることができる。したがって、表示装置４０を、狭いスペース中でも配置することができるという効果がある。
【０１２３】
本実施例１では、合計５本のパターン回路で光源駆動用タイミング信号の設定を行った。しかしながら、パターン回路の本数や割り振りはこれらに限定されることなく、適宜好ましい対応を採用することができる。特に、パターン回路の本数や割り振りはＲ色ＬＥＤ、Ｇ色ＬＥＤ及びＢ色ＬＥＤからの各色光の色度バランスの調整精度を考慮して決めるのが好ましく、パターン回路の本数を多くすると色度バランスの調整精度を高めることができる。また、粗い調整精度でも良い場合はＲ色ＬＥＤのタイミング信号、Ｇ色ＬＥＤのタイミング信号及びＢ色ＬＥＤのタイミング信号用にそれぞれ１本のパターン回路を割り振ったり、又はＧ色ＬＥＤのタイミング信号のみに２本のパターン回路を割り振ったりすることも可能である。
【実施例２】
【０１２４】
本発明に係る実施例２を図９を用いて説明する。図９は、実施例２に係る表示装置６０の背面図である。
【０１２５】
図９におけるＦＰＣ５１は、展開図を示している。表示装置６０では、実施例１に係る表示装置４０と同様に、四角い収納凹部を持った支持枠３７の凹部に、導光板、光拡散シート及び表示パネル等が収納されて固定されている。支持枠３７は実施例１と同じ仕様のものを用いており、同一符号を付している。また、導光板や光拡散シートも、実施例１と同じ仕様のものを用いている。表示パネルも、実施例１と同じ仕様の液晶表示パネルを用いている。表示パネルを駆動するパネル駆動用ＩＣ４３も、実施例１と同様に、表示パネル駆動回路と光源駆動用のタイミング信号を調整する調整回路を有している。調整回路は、パネル駆動用ＩＣ４３の外側に設けられた、光源駆動用のタイミング信号のパルス幅調整値を設定する調整値設定部４５−１と接続されている。
【０１２６】
表示装置６０では、主に回路の配置位置関係のみが実施例１に係る表示装置４０と異なっている。したがって、パネル駆動用ＩＣ４３に接続するＦＰＣ５１は、実施例１に係る表示装置４０のＦＰＣ３１と大きく形状及び構成を異にする。
【０１２７】
ＦＰＣ５１は、大きく分けて、外部にある制御回路に向かって数多くの導通パターンが形成されているメイン部５１ａと、メイン部５１ａから図中の右側に突き出して光源駆動用ＩＣ５３及びＲ色ＬＥＤ５２ａ、Ｇ色ＬＥＤ５２ｂ及びＢ色ＬＥＤ５２ｃが配置された所の突き出し枝部５１ｂと、メイン部５１ａから図中の左側に突き出して調整値設定部４５−１が配置された突き出し枝部５１ｃとを有する形状を有している。突き出し枝部５１ｃに設けられた調整値設定部４５−１は、５本のパターン回路からなり、前述の実施例１で用いた調整値設定の構成と同じ構成を有している。なお、図示していないが、光源駆動用ＩＣ５３とパネル駆動用ＩＣ４３とは導通パターンで結ばれおり、光源駆動用ＩＣ５３とＲ色ＬＥＤ５２ａ、Ｇ色ＬＥＤ５２ｂ及びＢ色ＬＥＤ５２ｃとも導通パターンで結ばれている。
【０１２８】
表示パネル駆動回路から、タイミング信号（例えば、クロック信号）が調整回路に出力される。調整回路は、入力されたタイミング信号及びＦＰＣ５１に設けたパルス幅の調整値設定部４５−１で設定された所要のパルス幅調整値データを含む信号を、ＦＰＣ５１に設けた光源駆動用ＩＣ５３に出力する。Ｒ色ＬＥＤ５２ａ、Ｇ色ＬＥＤ５２ｂ及びＢ色ＬＥＤ５２ｃは、光源駆動用ＩＣ５３から供給される光源駆動用のタイミング信号に応じて、順次切り換わりながら、所要のパルス幅の期間で発光する。これによって、Ｒ色、Ｇ色及びＢ色の輝度のバランスが取れ、良好な色度又は輝度の白色光を得ることができる。なお、調整値設定部４５−１の調整によって、Ｒ色ＬＥＤ、Ｇ色ＬＥＤ及びＢ色ＬＥＤの各点灯タイミングを調整するようにしても良い。
【０１２９】
次に、調整値設定部４５−１における調整値設定の方法について説明する。
【０１３０】
最初に、ＦＰＣ５１の突き出し枝部５１ｂを一点鎖線ｚの部分でＩの方向に折り曲げる。同時に、Ｒ色ＬＥＤ５２ａ、Ｇ色ＬＥＤ５２ｂ及びＢ色ＬＥＤ５２ｃを支持枠３７の開口部３７ａに挿入し、支持枠３７の内部に配置してある導光板の側面に配置する。次に、突き出し枝部５１ｂの部分を両面接着シート等を用いて支持枠３７の裏面に固定する。これによって、Ｒ色ＬＥＤ５２ａ、Ｇ色ＬＥＤ５２ｂ及びＢ色ＬＥＤ５２ｃは導光板の側面の位置に固定される。次に、Ｒ色ＬＥＤ５２ａ、Ｇ色ＬＥＤ５２ｂ及びＢ色ＬＥＤ５２ｃを同時に発光させて、混色による白色光を表示パネル上に表示させる。次に、表示パネル上に表示された白色光の彩度を色彩輝度計で測定する。次に、測定した白色光の彩度に基づいて、調整値設定部４５−１における５本のパターン回路のどこを穿孔するかを決定する。次に、パターン回路の決定した箇所にパンチ穴を明ける。これによって、Ｒ色ＬＥＤ５２ａ、Ｇ色ＬＥＤ５２ｂ及びＢ色ＬＥＤ５２ｃのタイミング信号のパルス幅の調整値が設定される。次に、調整値設定部４５−１を設けた所のＦＰＣ基板５１の突き出し枝部５１ｃの一部を一点鎖線ｘの部分でIIの方向に折り曲げる。次に、一部が折り曲げられた突き出し枝部５１ｃを、一点鎖線ｙの部分でIIIの方向に、更に折り曲げる。この時、一部が折り曲げられた突き出し枝部５１ｃを、Ｉで折り曲げた突き出し枝部５１ｂとメイン部５１ａとの間に差し込む。これによって、調整値設定部４５−１を設けた突き出し枝部５１ｃは容易に動かない状態となり、ＦＰＣ５１全体も折り畳まれた状態となる。
【０１３１】
以上の構成を取ることにより、Ｒ色ＬＥＤ５２ａ、Ｇ色ＬＥＤ５２ｂ及びＢ色ＬＥＤ５２ｃを支持枠３７に固定した状態で、調整値設定部４５−１のパターン回路に穿孔を施すことができる。そして、穿孔して調整値を設定した後に直ぐに、ＦＰＣ５１の折り畳みを行うことができる。前述の実施例１と比較して、色度を測定した後で、Ｒ色ＬＥＤ５２ａ、Ｇ色ＬＥＤ５２ｂ及びＢ色ＬＥＤ５２ｃを支持枠から取り外す必要もなく、調整値設定作業が非常にやり易くなる。また、色度輝度計を見ながら設定できることから調整値の設定精度を高めることもできる。
【０１３２】
他の調整値の設定方法として、Ｒ色ＬＥＤ５２ａ、Ｇ色ＬＥＤ５２ｂ及びＢ色ＬＥＤ５２ｃの個々の特性を予め測定しておき、その特性に対応して調整値設定部４５−１のパターン回路の穿孔処理を行い、その後、Ｉ〜III の折り曲げを行う方法を採用することもできる。この設定方法では、安いコストで生産できるという効果がある。
【０１３３】
なお、本実施例２においても、前述の実施例１で得られた種々の効果と同じ効果が得られることは云うまでもない。
【実施例３】
【０１３４】
本発明に係る実施例３を図１０〜図１２を用いて説明する。図１０は実施例３に係る表示装置８０の平面図であり、図１１は図１０における表示装置のＤ−Ｄ断面図であり、図１２は図１０における表示装置の背面図である。
【０１３５】
実施例３に係る表示装置８０は、凹部を有する支持枠７７の凹部に導光板７５、光拡散シート３６及び表示パネル２２が収納されて固定されている。表示パネル２２は液晶表示パネルで、実施例１の液晶表示パネルと同じ仕様のものを用いている。また、光拡散シート３６も実施例１の光拡散シートと同じ仕様のものを用いている。実施例３の導光板７５は、図１０に示す様に、右側面からＲ色ＬＥＤ７２ａ、Ｇ色ＬＥＤ７２ｂ及びＢ色ＬＥＤ７２ｃの光を取り入れて、表示パネル２２側に出射する構造を有している。パネル駆動用ＩＣ６３は、表示パネル２２の下基板２２ｂの延設部上に配置された配線電極に、導電性接着剤によって接着されている。第１のＦＰＣ７１及び第２のＦＰＣ７０が、下基板２２ｂの延設部上で、パネル駆動用ＩＣ６３と異方性導電接着剤によって導通接続されている。第１のＦＰＣ７１は外部の制御回路と接続するための（外部回路）接続用基板として機能し、外部の制御回路からの制御信号を供給する導通パターン、光源駆動用ＩＣ、Ｒ色ＬＥＤ７２ａ、Ｇ色ＬＥＤ７２ｂ及びＢ色ＬＥＤ７２ｃなどが設けられている。また、第２のＦＰＣには、後述する調整回路６５の調整値設定部６５−１が設けられており、調整値設定用基板として機能する。
【０１３６】
パネル駆動用ＩＣ６３には、表示パネル２２を駆動するための表示パネル駆動回路６４、光源駆動用のタイミング信号のパルス幅を調整するための調整回路６５が組み込まれている。調整回路６５は、パネル駆動用ＩＣ６３の外部に設けられた、パルス幅調整値を設定するための調整値設定部６５−１と接続されている。調整値設定部６５−１は、第２のＦＰＣ７０上に設けられている。調整値設定部６５−１の構成は、前述した実施例１の調整値設定部２５−１の構成と同じ構成を有している。即ち、調整値設定部６５−１は、５本の導通パターン回路からなり、パターン回路の所定箇所に穿孔を設けて調整値を設定する。
【０１３７】
図１２に示すように、第１のＦＰＣ７１は、外部の制御回路（図示せず）と接続し、制御信号などを供給する複数の導通パターンが形成されているメイン部７１ａと、図中右側でメイン部７１ａから突き出した突き出し枝部７１ｂとで構成されている。突き出し枝部７１ｂには、光源駆動用ＩＣ７３、Ｒ色ＬＥＤ７２ａ、Ｇ色ＬＥＤ７２ｂ及びＢ色ＬＥＤ７２ｃ等が設けられている。突き出し枝部７１ｂは、一点鎖線ｘの部分でＩの方向に折り曲げられる。この時、Ｒ色ＬＥＤ７２ａ、Ｇ色ＬＥＤ７２ｂ及びＢ色ＬＥＤ７２ｃが設けられて部分が、支持枠７７の開口部７７ａに挿入され、Ｒ色ＬＥＤ７２ａ、Ｇ色ＬＥＤ７２ｂ及びＢ色ＬＥＤ７２ｃが導光板７５の側面に配置される。突き出し枝部７１ｂには２箇所に穴７１ｄが設けられており、穴７１ｄが支持枠７７の底面に設けた２箇所の突起７７ｃと堅く係合することによって、突き出し枝部７１ｂが支持枠７７に固定される。突き出し枝部７１ｂが支持枠７７に固定されることによって、導光板７５の側面に、Ｒ色ＬＥＤ７２ａ、Ｇ色ＬＥＤ７２ｂ及びＢ色ＬＥＤ７２ｃが固定される。しかしながら、Ｒ色ＬＥＤ７２ａ、Ｇ色ＬＥＤ７２ｂ及びＢ色ＬＥＤ７２ｃの固定構造は上記の構造に限るものではなく、例えば、ＦＰＣ７１の枝部７１ｂと支持枠７７とを両面接着テープで接着する方法を用いても良い。
【０１３８】
表示パネル駆動回路６４から、タイミング信号（例えば、クロック信号）が調整回路６５に出力される。調整回路６５は、入力されたタイミング信号及びＦＰＣ７２に設けたパルス幅の調整値設定部６５−１で設定された所要のパルス幅調整値データを含む信号６５ｂを、ＦＰＣ７１に設けた光源駆動用ＩＣ７３に出力する。Ｒ色ＬＥＤ７２ａ、Ｇ色ＬＥＤ７２ｂ及びＢ色ＬＥＤ７２ｃは、光源駆動用ＩＣ７３から供給される光源駆動用のタイミング信号に応じて、順次切り換わりながら、所要のパルス幅の期間で発光する。これによって、Ｒ色、Ｇ色及びＢ色の輝度のバランスが取れ、良好な色度又は輝度の白色光を得ることができる。なお、調整値設定部６５−１の調整によって、Ｒ色ＬＥＤ、Ｇ色ＬＥＤ及びＢ色ＬＥＤの各点灯タイミングを調整するようにしても良い。
【０１３９】
本実施例では、調整値設定部６５−１を専用の第２のＦＰＣ７０に設けた構成を取っている。従って、調整値の設定作業は、Ｒ色ＬＥＤ７２ａ、Ｇ色ＬＥＤ７２ｂ及びＢ色ＬＥＤ７２ｃを組み込んだ状態で行うことができ、設定作業を短時間で完了することができる。
【０１４０】
本実施例では、第１のＦＰＣ７１及び第２のＦＰＣ７０の２種類が用いられるものの、メイン部７１ａから横に突き出す突き出し枝部７１ｂの突き出し量が大きくないことから、使用するＦＰＣの材料幅を小さく押さえることができる。これによって、ＦＰＣの形状取りで、捨て去る材料を少なくすることができる。したがって、材料費のムダを少なくする効果がある。
【０１４１】
本実施例では、第１のＦＰＣ７１及び第２のＦＰＣ７０が重なりはするが、ＦＰＣの折り曲げは１箇所で済み、折り曲げによる導通パターン損傷への影響を小さく押さえることができる。
【０１４２】
本実施例では、実施例１などと同様に、パネル駆動用ＩＣ６３に入力したタイミング信号（クロック信号）を利用して光源の駆動を行う構成になっているので、パネル駆動用ＩＣ６３から引き出す導通パターンの本数を減らすことができる。また、本実施例では、パネル駆動用ＩＣ６３と接続するＦＰＣの幅などを小さくすることができ、小型化と材料費の低減効果がある。
【０１４３】
本実施例では、光源駆動用のタイミング信号の調整値設定部を専用のＦＰＣに設けていることから、パターン回路の設計自由度が生まれ、回路のパターン長さなどを短くすることもできる。
【実施例４】
【０１４４】
本発明に係る実施例４を図１３を用いて説明する。図１３は、実施例４に係る表示装置１００の背面図である。
【０１４５】
実施例４に係る表示装置１００は、実施例１に係る表示装置４０の変形例である。したがって、図１３において、図７に示す表示装置４０と同様の構成には、同じ参照番号を付した。表示装置１００において、表示装置４０と異なる点は、表示装置４０の光源駆動用ＩＣ３３に組み込まれていた回路構成が、光源駆動回路９３としてパネル駆動用ＩＣ８３に組み込まれている点である。即ち、本実施例では、パネル駆動用ＩＣ８３が、表示パネル駆動回路２４、光源駆動回路９３及び調整回路２５を有している。したがって、Ｒ色ＬＥＤ３２ａのタイミング信号３３ａ、Ｇ色ＬＥＤ３２ｂのタイミング信号３３ｂ及びＢ色ＬＥＤ３２ｃのタイミング信号３３ｃはパネル駆動用ＩＣ８３から出力される。本実施例における構成、表示パネル２２、表示パネル駆動回路２４、調整回路２５、調整値設定部２５−１、Ｒ色ＬＥＤ３２ａ、Ｇ色ＬＥＤ３２ｂ及びＢ色ＬＥＤ３２ｃ、支持枠３７等は、表示装置４０と同様であるので、説明を省略する。また、調整値設定部２５−１における調整値の設定方法も、表示装置４０と同様であるので、説明を省略する。さらに、ＦＰＣ９１の折り畳み方法及びそれに伴うＲ色ＬＥＤ３２ａ、Ｇ色ＬＥＤ３２ｂ及びＢ色ＬＥＤ３２ｃの配置方法も、表示装置４０と同様であるので、説明を省略する。
【０１４６】
実施例４に係る表示装置１００では、表示パネル駆動回路２４から、タイミング信号（例えば、クロック信号）が調整回路２５に出力される。調整回路２５は、入力されたタイミング信号及びＦＰＣ９１に設けたパルス幅の調整値設定部２５−１で設定された所要のパルス幅調整値データを含む信号を、同じパネル駆動用ＩＣ８３内の光源駆動回路９３に出力する。Ｒ色ＬＥＤ３２ａ、Ｇ色ＬＥＤ３２ｂ及びＢ色ＬＥＤ３２ｃは、パネル駆動用ＩＣ８３内の光源駆動回路９３から供給される光源駆動用のタイミング信号３３ａ、３３ｂ及び３３ｃに応じて、順次切り換わりながら、所要のパルス幅の期間で発光する。これによって、Ｒ色、Ｇ色及びＢ色の輝度のバランスが取れ、良好な色度又は輝度の白色光を得ることができる。なお、調整値設定部２５−１の調整によって、Ｒ色ＬＥＤ、Ｇ色ＬＥＤ及びＢ色ＬＥＤの各点灯タイミングを調整するようにしても良い。
【０１４７】
本実施例では、実施例１などと同様に、パネル駆動用ＩＣ８３に入力したタイミング信号（クロック信号）を利用して光源の駆動を行う構成になっているので、パネル駆動用ＩＣ８３から引き出す導通パターンの本数を減らすことができた。また、本実施例では、実施例１において別の構成部品とした光源駆動用ＩＣ３３に組み込まれた回路構成をパネル駆動用ＩＣ８３内に組み込んだので、パネル駆動用ＩＣ８３から引き出す導通パターンの本数をさらに減らすことができた。
【実施例５】
【０１４８】
本発明に係る実施例５を図１４を用いて説明する。図１４（ａ）は実施例５に係る表示装置１２０の平面図であり、図１４（ｂ）は図１４（ａ）におけるＥＥ断面図である。
【０１４９】
実施例５に係る表示装置１２０は、実施例１に係る表示装置４０の変形例である。したがって、図１４において、図７に示す表示装置４０と同様の構成には、同じ参照番号を付した。表示装置１２０において、表示装置４０と異なる点は、表示装置４０の光源駆動用ＩＣ３３に組み込まれていた回路構成が光源駆動回路１１３としてパネル駆動用ＩＣ１０３に組み込まれている点と、光源が表示パネル２２上に配置されている点である。
【０１５０】
即ち、本実施例では、パネル駆動用ＩＣ１０３が、表示パネル駆動回路２４、光源駆動回路１１３及び調整回路２５を有している。したがって、光源駆動用のタイミング信号１１３ａ及び１１３ｂはパネル駆動用ＩＣ１０３から光源１１２ａ及び１１２ｂへ出力される。
【０１５１】
また、本実施例では、光源１１２ａ及び１１２ｂが、表示パネル２２の上基板２２aの側端面より延出した下基板２２ｂ上の延出部であって、上基板２２ａの側面に近接して配置されている。光源１１２ａ及び１１２ｂは、両者とも、所謂３・イン・ワンタイプのＬＥＤで、１つのパッケージ中に、Ｒ色ＬＥＤ、Ｇ色ＬＥＤ及びＢ色ＬＥＤが内蔵されている。即ち、本実施例では、実施例１におけるＲ色ＬＥＤ３２ａ、Ｇ色ＬＥＤ３２ｂ及びＢ色ＬＥＤ３２ｃが２セット、ＦＰＣ上ではなく、表示パネル２２上に配置されていることとなる。また、前述した、光源駆動用のタイミング信号１１３ａ及び１１３ｂは、それぞれが、Ｒ色ＬＥＤ、Ｇ色ＬＥＤ及びＢ色ＬＥＤへの同じタイミング信号（図３参照）を有しているものとする。
【０１５２】
本実施例における他の構成、例えば、表示パネル２２、表示パネル駆動回路２４、調整回路２５、調整値設定部２５−１、支持枠３７等は、表示装置４０と同様であるので、説明を省略する。また、調整値設定部２５−１における調整値の設定方法も、表示装置４０と同様であるので、説明を省略する。
【０１５３】
実施例５に係る表示装置１２０では、表示パネル駆動回路２４から、タイミング信号（例えば、クロック信号）が調整回路２５に出力される。調整回路２５は、入力されたタイミング信号及びＦＰＣ１１１に設けたパルス幅の調整値設定部２５−１で設定された所要のパルス幅調整値データを含む信号を、同じパネル駆動用ＩＣ１０３内の光源駆動回路１１３に出力する。光源１１２ａ及び１１２ｂにそれぞれ含まれるＲ色ＬＥＤ、Ｇ色ＬＥＤ及びＢ色ＬＥＤは、パネル駆動用ＩＣ１０３内の光源駆動回路１１３から供給される光源駆動用のタイミング信号１１３ａ及び１１３ｂに応じて、順次切り換わりながら、所要のパルス幅の期間で発光する。これによって、Ｒ色、Ｇ色及びＢ色の輝度のバランスが取れ、良好な色度又は輝度の白色光を得ることができる。なお、調整値設定部２５−１の調整によって、Ｒ色ＬＥＤ、Ｇ色ＬＥＤ及びＢ色ＬＥＤの各点灯タイミングを調整するようにしても良い。
【０１５４】
本実施例では、実施例１などと同様に、パネル駆動用ＩＣ１０３に入力したタイミング信号（クロック信号）を利用して光源の駆動を行う構成になっているので、パネル駆動用ＩＣ１０３から引き出す導通パターンの本数を減らすことができた。また、本実施例では、実施例１において別の構成部品とした光源駆動用ＩＣ３３に組み込まれた回路構成をパネル駆動用ＩＣ１０３内に組み込んだので、パネル駆動用ＩＣ１０３から引き出す導通パターンの本数をさらに減らすことができた。さらに、本実施例では、実施例１においてＦＰＣ上に配置した光源を、パネル駆動用ＩＣ１０３と近接した表示パネル上に配置したので、小型化を図ることができた。
【実施例６】
【０１５５】
本発明に係る実施例６を図１５を用いて説明する。図１５は、実施例６に係る表示装置１４０の背面図である。
【０１５６】
実施例６に係る表示装置１２０は、実施例１に係る表示装置４０の変形例である。したがって、図１５において、図７に示す表示装置４０と同様の構成には、同じ参照番号を付した。表示装置１４０において、表示装置４０と異なる点は、調整値設定部２５−１の代わりに調整値設定用ＩＣ１２５−１を設けた点である。調整値設定用ＩＣ１２５−１は、設定値データを記憶するメモリ（例えば、Ｅ２ＲＯＭ）と、設定値入力用のインターフェース（例えば、複数の端子）を有している。ユーザは、実施例１において説明した方法によって設定を決定後、所定の入力装置２５０（例えば、設定値入力用のインターフェースと接続可能なプローブを有するパソコンやＥ２ＲＯＭ書き込み装置）によって、調整値設定用ＩＣ１２５−１内のメモリに設定値データを記憶させる。したがって、調整値設定用ＩＣ１２５−１は、実施例１において説明した調整値設定部２５−１と同様の機能を果たすことができる。ＦＰＣ１３１を介して接続されている外部の制御回路２６０は、調整値設定用ＩＣ１２５−１内のメモリから設定値データを取得し、パネル駆動用ＩＣ１２３のインターフェースを介して調整回路１２５へ取得したデータを転送する。調整回路１２５は、制御回路２６０を介して設定値データを取得できるように構成した点を除き、表示装置４０の調整回路２５と同様の機能を有する。
【０１５７】
実施例６における他の構成、例えば、表示パネル２２、表示パネル駆動回路２４、Ｒ色ＬＥＤ３２ａ、Ｇ色ＬＥＤ３２ｂ及びＢ色ＬＥＤ３２ｃ、光源駆動用ＩＣ３３、支持枠３７等は、表示装置４０と同様であるので、説明を省略する。また、ＦＰＣ１３１の折り畳み方法及びそれに伴うＲ色ＬＥＤ３２ａ、Ｇ色ＬＥＤ３２ｂ及びＢ色ＬＥＤ３２ｃの配置方法も、表示装置４０と同様であるので、説明を省略する。
【０１５８】
実施例６に係る表示装置１４０では、表示パネル駆動回路２４から、タイミング信号（例えば、クロック信号）が調整回路１２５に出力される。入力されたタイミング信号及び外部の制御回路２６０を介して取得した調整値設定部１２５−１に記憶された所要のパルス幅調整値データが入力された調整回路１２５は、信号１２５ｂを、ＦＰＣ１３１上に配置されている光源駆動用ＩＣ３３に出力する。Ｒ色ＬＥＤ３２ａ、Ｇ色ＬＥＤ３２ｂ及びＢ色ＬＥＤ３２ｃは、光源駆動用ＩＣ３３から供給される光源駆動用のタイミング信号３３ａ、３３ｂ及び３３ｃに応じて、順次切り換わりながら、所要のパルス幅の期間で発光する。これによって、Ｒ色、Ｇ色及びＢ色の輝度のバランスが取れ、良好な色度又は輝度の白色光を得ることができる。なお、調整値設定部１２５−１の調整によって、Ｒ色ＬＥＤ、Ｇ色ＬＥＤ及びＢ色ＬＥＤの各点灯タイミングを調整するようにしても良い。
【０１５９】
本実施例では、実施例１などと同様に、パネル駆動用ＩＣ１２３に入力したタイミング信号（クロック信号）を利用して光源の駆動を行う構成になっているので、制御回路２６０から引き出す導通パターンの本数を減らすことができた。また、本実施例では、実施例１における調整値設定部２５−１を調整値設定用ＩＣに置き換えたので、パネル駆動用ＩＣ１２３から引き出す導通パターンの本数をさらに減らすことができ、必要となるＦＰＣの面積を低下させることができた。さらに、Ｅ２ＲＯＭ等により構成される調整値設定用ＩＣ１２５−１を、表示パネル２２の近傍に配置したので、外部制御回路２６０等のマザーボードに個々の設定値データを記憶する必要がなく、構成を簡素化することが可能となった。
【実施例７】
【０１６０】
本発明に係る実施例７を図１６を用いて説明する。図１６は、実施例７に係る表示装置１６０の背面図である。
【０１６１】
実施例７に係る表示装置１６０は、実施例１に係る表示装置４０の変形例である。したがって、図１６において、図７に示す表示装置４０と同様の構成には、同じ参照番号を付した。表示装置１６０において、表示装置４０と異なる点は、表示装置４０の光源駆動用ＩＣに組み込まれていた回路構成が、光源駆動回路１５３としてパネル駆動用ＩＣ１４３に組み込まれている点と、調整値設定部２５−１の代わりに調整値設定用ＩＣ１２５−１を設けた点である。
【０１６２】
即ち、本実施例では、パネル駆動用ＩＣ１４３が、表示パネル駆動回路２４、光源駆動回路１５３及び調整回路１４５を有している。したがって、Ｒ色ＬＥＤ３２ａのタイミング信号３３ａ、Ｇ色ＬＥＤ３２ｂのタイミング信号３３ｂ及びＢ色ＬＥＤ３２ｃのタイミング信号３３ｃはパネル駆動用ＩＣ１４３から出力される。
【０１６３】
調整値設定用ＩＣ１４５−１は、設定値データを記憶するメモリ（例えば、Ｅ２ＲＯＭ）と、設定値入力用のインターフェース（例えば、複数の端子）を有している。ユーザは、実施例１において説明した方法によって設定を決定後、所定の入力装置２５０（例えば、設定値入力用のインターフェースと接続可能なプローブを有するパソコンやＥ２ＲＯＭ書き込み装置）によって、調整値設定用ＩＣ１４５−１内のメモリに設定値データを記憶させる。したがって、調整値設定用ＩＣ１４５−１は、実施例１において説明した調整値設定部２５−１と同様の機能を果たすことができる。ＦＰＣ１５１を介して接続されている外部の制御回路２６０は、調整値設定用ＩＣ１４５−１内のメモリから設定値データを取得し、パネル駆動用ＩＣ１４３のインターフェースを介して調整回路１４５へ取得したデータを転送する。なお、調整回路１４５は、制御回路２６０を介して設定値データを取得できるように構成されている点を除き、表示装置４０の調整回路２５と同様の機能を有している。
【０１６４】
本実施例における構成、例えば、表示パネル２２、表示パネル駆動回路２４、Ｒ色ＬＥＤ３２ａ、Ｇ色ＬＥＤ３２ｂ及びＢ色ＬＥＤ３２ｃ、支持枠３７等は、表示装置４０と同様であるので、説明を省略する。また、ＦＰＣ１５１の折り畳み方法及びそれに伴うＲ色ＬＥＤ３２ａ、Ｇ色ＬＥＤ３２ｂ及びＢ色ＬＥＤ３２ｃの配置方法も、表示装置４０と同様であるので、説明を省略する。
【０１６５】
実施例７に係る表示装置１６０では、表示パネル駆動回路２４から、タイミング信号（例えば、クロック信号）が調整回路１４５に出力される。調整回路１４５は、入力されたタイミング信号及び外部の制御回路２６０を介して取得した調整値設定部１４５−１に記憶された所要のパルス幅調整値データを含む信号を、同じパネル駆動用ＩＣ１４３内の光源駆動回路１５３に出力する。Ｒ色ＬＥＤ３２ａ、Ｇ色ＬＥＤ３２ｂ及びＢ色ＬＥＤ３２ｃは、パネル駆動用ＩＣ１４３の光源駆動回路１５３から供給される光源駆動用のタイミング信号３３ａ、３３ｂ及び３３ｃに応じて、順次切り換わりながら、所要のパルス幅の期間で発光する。これによって、Ｒ色、Ｇ色及びＢ色の輝度のバランスが取れ、良好な色度又は輝度の白色光を得ることができる。なお、調整値設定部１４５−１の調整によって、Ｒ色ＬＥＤ、Ｇ色ＬＥＤ及びＢ色ＬＥＤの各点灯タイミングを調整するようにしても良い。
【０１６６】
本実施例では、実施例１などと同様に、パネル駆動用ＩＣ１４３に入力したタイミング信号（クロック信号）を利用して光源の駆動を行う構成になっているので、外部制御回路２６０から引き出す導通パターンの本数を減らすことができた。また、本実施例では、実施例１において別の構成部品とした光源駆動用ＩＣ３３に組み込まれた回路構成をパネル駆動用ＩＣ１４３内に組み込んだので、パネル駆動用ＩＣ１４３から引き出す導通パターンの本数をさらに減らすことができた。さらに、本実施例では、実施例１における調整値設定部２５−１を調整値設定用ＩＣに置き換えたので、パネル駆動用ＩＣ１４３から引き出す導通パターンの本数をさらに減らすことができ、必要となるＦＰＣの面積を低下させることができた。さらに、Ｅ２ＲＯＭ等により構成される調整値設定用ＩＣ１４５−１を、表示パネル２２の近傍に配置したので、外部制御回路等のマザーボードに個々の設定値データを記憶する必要がなく、構成を簡素化することが可能となった。
【実施例８】
【０１６７】
本発明に係る実施例８を図１７を用いて説明する。図１７は、実施例８に係る表示装置１８０の背面図である。
【０１６８】
実施例８に係る表示装置１８０は、実施例１に係る表示装置４０の変形例である。したがって、図１７において、図７に示す表示装置４０と同様の構成には、同じ参照番号を付した。表示装置１８０において、表示装置４０と異なる点は、調整値設定部２５−１の機能を有する回路を、調整値設定回路１６５−１としてパネル駆動用ＩＣ１６３内に設けた点である。
【０１６９】
即ち、本実施例では、パネル駆動用ＩＣ１６３が、表示パネル駆動回路２４、調整回路１６５及び調整値設定回路１６５−１を有している。調整値設定回路１６５−１は、設定値データを記憶するメモリ（例えば、Ｅ２ＲＯＭ）と、設定値入力用のインターフェース（例えば、複数の端子）を有している。ユーザは、実施例１において説明した方法によって設定を決定後、所定の入力装置（例えば、設定値入力用のインターフェースと接続可能なプローブを有するパソコンやＥ２ＲＯＭ書き込み装置）によって、調整値設定回路１６５−１内のメモリに設定値データを記憶させる。したがって、調整値設定回路１６５−１は、実施例１において説明した調整値設定部２５−１と同様の機能を果たすことができる。なお、調整回路１６５は、調整値設定回路１６５−１内のメモリから設定値データを取得できるように構成されている点を除き、表示装置４０の調整回路２５と同様の機能を有している。
【０１７０】
本実施例における構成、例えば、表示パネル２２、表示パネル駆動回路２４、Ｒ色ＬＥＤ３２ａ、Ｇ色ＬＥＤ３２ｂ及びＢ色ＬＥＤ３２ｃ、支持枠３７等は、表示装置４０と同様であるので、説明を省略する。また、ＦＰＣ１７１の折り畳み方法及びそれに伴うＲ色ＬＥＤ３２ａ、Ｇ色ＬＥＤ３２ｂ及びＢ色ＬＥＤ３２ｃの配置方法も、表示装置４０と同様であるので、説明を省略する。
【０１７１】
実施例８に係る表示装置１６０では、表示パネル駆動回路２４から、タイミング信号（例えば、クロック信号）が調整回路１６５に出力される。調整回路１６５は、入力されたタイミング信号及びパネル駆動用ＩＣ１６３内の調整値設定回路１６５−１に記憶された所要のパルス幅調整値データを含む信号１６５ｂを、ＦＰＣ１７１上に設けられた光源駆動用ＩＣ３３に出力する。Ｒ色ＬＥＤ３２ａ、Ｇ色ＬＥＤ３２ｂ及びＢ色ＬＥＤ３２ｃは、光源駆動用ＩＣ３３から供給される光源駆動用のタイミング信号３３ａ、３３ｂ及び３３ｃに応じて、順次切り換わりながら、所要のパルス幅の期間で発光する。これによって、Ｒ色、Ｇ色及びＢ色の輝度のバランスが取れ、良好な色度又は輝度の白色光を得ることができる。なお、調整値設定部１６５−１の調整によって、Ｒ色ＬＥＤ、Ｇ色ＬＥＤ及びＢ色ＬＥＤの各点灯タイミングを調整するようにしても良い。
【０１７２】
本実施例では、実施例１などと同様に、パネル駆動用ＩＣ１６３に入力したタイミング信号（クロック信号）を利用して光源の駆動を行う構成になっているので、パネル駆動用ＩＣ１６３から引き出す導通パターンの本数を減らすことができた。また、本実施例では、実施例１における調整値設定部２５−１をパネル駆動用ＩＣ１６３内に調整値設定回路に置き換えたので、パネル駆動用ＩＣ１６３から引き出す導通パターンの本数をさらに減らすことができ、必要となるＦＰＣの面積を低下させることができた。
【実施例９】
【０１７３】
本発明に係る実施例９を図１８を用いて説明する。図１８は、実施例９に係る表示装置２００の背面図である。
【０１７４】
実施例９に係る表示装置２００は、実施例１に係る表示装置４０の変形例である。したがって、図１８において、図７に示す表示装置４０と同様の構成には、同じ参照番号を付した。表示装置２００において、表示装置４０と異なる点は、表示装置４０の調整値設定部２５−１の機能を有する回路を、調整値設定回路１８５−１としてパネル駆動用ＩＣ１８３内に設けた点、表示装置４０の光源駆動用ＩＣ３３に組み込まれていた回路を、光源駆動回路１９３としてパネル駆動用ＩＣ１８３内に設けた点である。
【０１７５】
即ち、本実施例では、パネル駆動用ＩＣ１６３が、表示パネル駆動回路２４、光源駆動回路１９３、調整回路１８５及び調整値設定回路１８５−１を有している。調整値設定回路１８５−１は、設定値データを記憶するメモリ（例えば、Ｅ２ＲＯＭ）と、設定値入力用のインターフェース（例えば、複数の端子）を有している。ユーザは、実施例１において説明した方法によって設定を決定後、所定の入力装置（例えば、設定値入力用のインターフェースと接続可能なプローブを有するパソコンやＥ２ＲＯＭ書き込み装置）によって、調整値設定回路１８５−１内のメモリに設定値データを記憶させる。したがって、調整値設定回路１８５−１は、実施例１において説明した調整値設定部２５−１と同様の機能を果たすことができる。なお、調整回路１８５は、調整値設定回路１８５−１内のメモリから設定値データを取得できるように構成されている点を除き、表示装置４０の調整回路２５と同様の機能を有している。
【０１７６】
また、本実施例では、光源駆動回路１９３がパネル駆動用ＩＣ１８３内に設けられていることから、光源駆動用のタイミング信号３３ａ、３３ｂ及び３３ｃはパネル駆動用ＩＣ１８３から出力される。
【０１７７】
本実施例における構成、例えば、表示パネル２２、表示パネル駆動回路２４、Ｒ色ＬＥＤ３２ａ、Ｇ色ＬＥＤ３２ｂ及びＢ色ＬＥＤ３２ｃ、支持枠３７等は、表示装置４０と同様であるので、説明を省略する。また、ＦＰＣ１９１の折り畳み方法及びそれに伴うＲ色ＬＥＤ３２ａ、Ｇ色ＬＥＤ３２ｂ及びＢ色ＬＥＤ３２ｃの配置方法も、表示装置４０と同様であるので、説明を省略する。
【０１７８】
実施例９に係る表示装置２００では、表示パネル駆動回路２４から、タイミング信号（例えば、クロック信号）が調整回路１８５に出力される。調整回路１８５は、入力されたタイミング信号及びパネル駆動用ＩＣ１８３内の調整値設定回路１８５−１に記憶された所要のパルス幅調整値データを含む信号を、パネル駆動用ＩＣ１８３内の光源駆動回路１９３に出力する。Ｒ色ＬＥＤ３２ａ、Ｇ色ＬＥＤ３２ｂ及びＢ色ＬＥＤ３２ｃは、パネル駆動用ＩＣ１８３内の光源駆動回路１９３から供給される光源駆動用のタイミング信号３３ａ、３３ｂ及び３３ｃに応じて、順次切り換わりながら、所要のパルス幅の期間で発光する。これによって、Ｒ色、Ｇ色及びＢ色の輝度のバランスが取れ、良好な色度又は輝度の白色光を得ることができる。なお、調整値設定部１８５−１の調整によって、Ｒ色ＬＥＤ、Ｇ色ＬＥＤ及びＢ色ＬＥＤの各点灯タイミングを調整するようにしても良い。
【０１７９】
本実施例では、実施例１などと同様に、パネル駆動用ＩＣ１８３に入力したタイミング信号（クロック信号）を利用して光源の駆動を行う構成になっているので、パネル駆動用ＩＣ１８３から引き出す導通パターンの本数を減らすことができた。また、本実施例では、実施例１において別の構成部品とした光源駆動用ＩＣ３３に組み込まれた回路構成をパネル駆動用ＩＣ１８３内に組み込んだので、パネル駆動用ＩＣ１８３から引き出す導通パターンの本数をさらに減らすことができた。さらに、本実施例では、実施例１における調整値設定部２５−１をパネル駆動用ＩＣ１８３内に調整値設定回路に置き換えたので、パネル駆動用ＩＣ１８３から引き出す導通パターンの本数をさらに減らすことができ、必要となるＦＰＣの面積を低下させることができた。
【実施例１０】
【０１８０】
本発明に係る実施例１０を図１９を用いて説明する。図１９（ａ）は実施例１０に係る表示装置２２０の平面図であり、図１９（ｂ）は図１９（ａ）におけるＦＦ断面図である。
【０１８１】
実施例１０に係る表示装置２２０は、実施例１に係る表示装置４０の変形例である。したがって、図１９において、図７に示す表示装置４０と同様の構成には、同じ参照番号を付した。表示装置２２０において、表示装置４０と異なる点は、表示装置４０の調整値設定部２５−１の機能を有する回路を、調整値設定回路２０５−１としてパネル駆動用ＩＣ１８３内に設けた点、表示装置４０の光源駆動用ＩＣ３３に組み込まれていた回路を、光源駆動回路２１３としてパネル駆動用ＩＣ２０３内に設けた点、光源が表示パネル２２上に配置されている点である。
【０１８２】
即ち、本実施例では、パネル駆動用ＩＣ２０３が、表示パネル駆動回路２４、光源駆動回路２１３、調整回路２０５及び調整値設定回路２０５−１を有している。調整値設定回路２０５−１は、設定値データを記憶するメモリ（例えば、Ｅ２ＲＯＭ）と、設定値入力用のインターフェース（例えば、複数の端子）を有している。ユーザは、実施例１において説明した方法によって設定を決定後、所定の入力装置（例えば、設定値入力用のインターフェースと接続可能なプローブを有するパソコンやＥ２ＲＯＭ書き込み装置）によって、調整値設定回路２０５−１内のメモリに設定値データを記憶させる。したがって、調整値設定回路２０５−１は、実施例１において説明した調整値設定部２５−１と同様の機能を果たすことができる。なお、調整回路２０５は、調整値設定回路２０５−１内のメモリから設定値データを取得できるように構成されている点を除き、表示装置４０の調整回路２５と同様の機能を有している。
【０１８３】
また、本実施例では、光源駆動回路２１３がパネル駆動用ＩＣ２０３内に設けられていることから、光源駆動用のタイミング信号２１３ａ及び２１３ｂはパネル駆動用ＩＣ２０３から出力される。また、光源２１２ａ及び２１２ｂが、表示パネル２２の上基板２２ａの端面より延出した下基板２２ｂの延出部上であって、上基板２２ａの側面に近接して配置されている。光源２１２ａ及び２１２ｂは、両者とも、所謂３・イン・ワンタイプのＬＥＤで、１つのパッケージ中に、Ｒ色ＬＥＤ、Ｇ色ＬＥＤ及びＢ色ＬＥＤが内蔵されている。即ち、本実施例では、実施例１におけるＲ色ＬＥＤ３２ａ、Ｇ色ＬＥＤ３２ｂ及びＢ色ＬＥＤ３２ｃが２セット、ＦＰＣ上ではなく、表示パネル２２上に配置されていることとなる。また、前述した、光源駆動用のタイミング信号２１３ａ及び２１３ｂは、それぞれが、Ｒ色ＬＥＤ、Ｇ色ＬＥＤ及びＢ色ＬＥＤへの同じタイミング信号（図３参照）を有しているものとする。
【０１８４】
本実施例における構成、例えば、表示パネル２２、表示パネル駆動回路２４、支持枠３７等は、表示装置４０と同様であるので、説明を省略する。
【０１８５】
実施例１０に係る表示装置２２０では、表示パネル駆動回路２４から、タイミング信号（例えば、クロック信号）が調整回路２０５に出力される。調整回路２０５は、入力されたタイミング信号及びパネル駆動用ＩＣ２０３内の調整値設定回路２０５−１に記憶された所要のパルス幅調整値データを含む信号を、パネル駆動用ＩＣ２０３内の光源駆動回路２１３に出力する。光源２１２ａ及び２１２ｂにそれぞれ含まれるＲ色ＬＥＤ、Ｇ色ＬＥＤ及びＢ色ＬＥＤは、パネル駆動用ＩＣ２０３内の光源駆動回路２１３から供給される光源駆動用のタイミング信号２１３ａ及び２１３ｂに応じて、順次切り換わりながら、所要のパルス幅の期間で発光する。これによって、Ｒ色、Ｇ色及びＢ色の輝度のバランスが取れ、良好な色度又は輝度の白色光を得ることができる。なお、調整値設定部２０５−１の調整によって、Ｒ色ＬＥＤ、Ｇ色ＬＥＤ及びＢ色ＬＥＤの各点灯タイミングを調整するようにしても良い。
【０１８６】
本実施例では、実施例１などと同様に、パネル駆動用ＩＣ２０３に入力したタイミング信号（クロック信号）を利用して光源の駆動を行う構成になっているので、パネル駆動用ＩＣ２０３から引き出す導通パターンの本数を減らすことができた。また、本実施例では、実施例１において別の構成部品とした光源駆動用ＩＣ３３に組み込まれた回路構成をパネル駆動用ＩＣ２０３内に組み込んだので、パネル駆動用ＩＣ２０３から引き出す導通パターンの本数をさらに減らすことができた。さらに、本実施例では、実施例１における調整値設定部２５−１をパネル駆動用ＩＣ２０３内に調整値設定回路に置き換えたので、パネル駆動用ＩＣ２０３から引き出す導通パターンの本数をさらに減らすことができ、必要となるＦＰＣの面積を低下させることができた。さらに、本実施例では、実施例１においてＦＰＣ上に配置した光源を、パネル駆動用ＩＣ２０３と近接した表示パネル上に配置したので、小型化を図ることができた。
【０１８７】
上記の実施例１〜４、６〜９では、表示装置は何れも導光板を用いているが、本発明の表示装置は、導光板を用いないで、表示パネルの真下に複数のＬＥＤ（例えば、Ｒ色ＬＥＤ、Ｇ色ＬＥＤ及びＢ色ＬＥＤ等）を配置した構成であっても良い。また、上記の実施例１〜４、６〜９では、表示装置をバックライトによって照明する場合に基づいて説明したが、バックライトの代わりに、フロントライト又はサイドライトを用いることもでき、その場合であっても、本発明の効果を得ることができる。
【０１８８】
上記の実施例１〜１０において、上下基板として、ガラス基板を用いたが、上下基板として、プラスチック基板を用いることもできる。
【図面の簡単な説明】
【０１８９】
【図１】本発明に係る表示装置の概略ブロック図である。
【図２】図１における調整値設定部の構成の一例を示す図である。
【図３】光源駆動用のタイミング信号の一例を示すチャート図である。
【図４】調整値設定部の他の構成を示す図である。
【図５】実施例１に係る表示装置の平面図である。
【図６】図５におけるＣ−Ｃ断面図である。
【図７】図５における表示装置の背面図である。
【図８】接続用基板の折り曲げ方を説明する説明図である。
【図９】実施例２に係る表示装置の裏面側の平面図である。
【図１０】実施例３に係る表示装置の平面図である。
【図１１】図１０における表示装置のＤ−Ｄ断面図である。
【図１２】図１０における表示装置の背面図である。
【図１３】実施例４に係る表示装置の背面図である。
【図１４】（ａ）は実施例５に係る表示装置の背面図であり、（ｂ）は（ａ）の断面図である。
【図１５】実施例６に係る表示装置の背面図である。
【図１６】実施例７に係る表示装置の背面図である。
【図１７】実施例８に係る表示装置の背面図である。
【図１８】実施例９に係る表示装置の背面図である。
【図１９】（ａ）は実施例１０に係る表示装置の背面図であり、（ｂ）は（ａ）の断面図である。
【図２０】従来技術のカラー表示装置の概略ブロック図である。
【符号の説明】
【０１９０】
１    表示パネル部
２、２２    表示パネル
３、２３、４３、６３、８３、１０３、１２３、１４３、１６３、１８３、２０３    パネル駆動用ＩＣ
４、２４、６４    表示パネル駆動回路
４ａ    パネル駆動信号
４ｂ、５ｂ、２５ｂ、６５ｂ    タイミング信号
５、２５、６５、１２５、１４５、１６５、１８５、２０５    調整回路
５−１、２５−１、４５−１、６５−１、１２５−１、１４５−１、１６５−１、１８５−１、２０５−１    調整値設定部
１１    接続用基板部
１２    光源部
１２ａ、１２ｂ及び１２ｃ    光源
１３、３３、５３、７３    光源駆動用ＩＣ
１３ａ、１３ｂ、１３ｃ、３３ａ、３３ｂ、３３ｃ、７３ａ、７３ｂ、７３ｃ    光源駆動信号
１８    制御回路
１８ａ    制御信号
２０、４０、６０、８０、１００、１２０、１４０、１６０、１８０、２００、２２０    表示装置
３１、５１、７１、９１、１１１、１３１、１５１、１７１、１９１、２１１    ＦＰＣ
３１ａ、５１ａ、７１ａ    メイン部
３１ｂ、３１ｃ、５１ｂ、５１ｃ、７１ｂ    突き出し枝部
３２、５２、７２    光源
３２ａ、５２ａ、７２ａ    Ｒ色ＬＥＤ
３２ｂ、５２ｂ、７２ｂ    Ｇ色ＬＥＤ
３２ｃ、５２ｃ、７２ｃ    Ｂ色ＬＥＤ
３５、７５    導光板
３６    光拡散シート
３７、７７    支持枠
３７ａ、７７ａ    開口部
ｆ    穿孔
【図１】
2007041581.tif 000003
【図２】
2007041581.tif 000004
【図３】
2007041581.tif 000005
【図４】
2007041581.tif 000006
【図５】
2007041581.tif 000007
【図６】
2007041581.tif 000008
【図７】
2007041581.tif 000009
【図８】
2007041581.tif 000010
【図９】
2007041581.tif 000011
【図１０】
2007041581.tif 000012
【図１１】
2007041581.tif 000013
【図１２】
2007041581.tif 000014
【図１３】
2007041581.tif 000015
【図１４】
2007041581.tif 000016
【図１５】
2007041581.tif 000017
【図１６】
2007041581.tif 000018
【図１７】
2007041581.tif 000019
【図１８】
2007041581.tif 000020
【図１９】
2007041581.tif 000021
【図２０】
2007041581.tif 000022